(57)【要約】      （修正有）【課題】タッチスクリーンを有するポータブル電子デバイスへの汚染物の侵入及び固定されたデバイスからの汚染物の退出を防止する滅菌可能なエンクロージャを提供する。【解決手段】エンクロージャ１００は、透明パネル１１４を有する窓１０８を画定し、透明パネルが窓に隣接してタッチスクリーンに当接するように配置された、フレーム周縁を含むフレーム１０６を含む。フレームに結合されたベース１１０は、ベース周縁を含み、フレームと協働してデバイスがベースとフレームの間で固定される閉位置１００Ａを画定する。シール周縁を含むシールは、固定されたデバイスへの汚染物の侵入及び固定されたデバイスからの汚染物の退出を防止するために、ベース及びフレームの少なくとも一方に動作可能に取り付けられ、エンクロージャが閉じているときにベースとフレームとの間に係合するように配置され、シール周縁がフレーム周縁及びベース周縁に隣接して配置される。【選択図】図１
2020194591.tif 000002
【特許請求の範囲】
【請求項１】
タッチスクリーンインターフェースを有するポータブル電子デバイスを固定するのに使
用され、前記固定されたポータブル電子デバイスへの汚染物の侵入および前記固定された
ポータブル電子デバイスからの汚染物の退出を防止するための滅菌可能なエンクロージャ
であって、
フレーム周縁を含むフレームであって、前記フレームが透明パネルを有する窓を画定し
、前記透明パネルが前記窓に隣接して前記フレームに動作可能に取り付けられ、前記ポー
タブル電子デバイスの前記タッチスクリーンインターフェースに当接するように配置され
た、フレームと、
前記フレームに連結され、ベース周縁を含むベースであって、前記ベースおよび前記フ
レームは協働して前記ポータブル電子デバイスが前記ベースと前記フレームとの間で固定
される前記滅菌可能なエンクロージャの閉位置を画定する、ベースと、
シール周縁を含むシールであって、前記固定されたポータブル電子デバイスへの汚染物
の侵入および前記固定されたポータブル電子デバイスからの汚染物の退出を防止するため
に、前記シールが、前記ベースおよび前記フレームの少なくとも一方に動作可能に取り付
けられ、前記滅菌可能なエンクロージャが前記閉位置にあるときに前記ベースと前記フレ
ームとの間に係合するように配置され、前記シール周縁が前記フレーム周縁および前記ベ
ース周縁に隣接して配置される、シールと、
を含む滅菌可能なエンクロージャ。
【請求項２】
前記ベースおよび前記フレームの他方に動作可能に取り付けられ、前記滅菌可能なエン
クロージャが前記閉位置にあるときに前記シールと係合するように形成された係合要素を
さらに含む、
請求項１に記載の滅菌可能なエンクロージャ。
【請求項３】
前記係合要素は、前記シール周縁に隣接して配置された係合周縁を含む、
請求項２に記載の滅菌可能なエンクロージャ。
【請求項４】
チャネルが前記ベース周縁から内側に間隔を空けて前記ベースに画定され、前記シール
の少なくとも一部分を収容する、
請求項１から３のいずれか１項に記載の滅菌可能なエンクロージャ。
【請求項５】
前記シールは、前記チャネルに受け入れられるように形成されたチャネル部分と、前記
チャネル部分から前記シール周縁まで延びる係合部分とを含み、前記係合部分が前記閉位
置で前記フレームに係合するように形成される、
請求項４に記載の滅菌可能なエンクロージャ。
【請求項６】
前記チャネル部分および前記チャネルはそれぞれ、概して台形の輪郭を有する、
請求項５に記載の滅菌可能なエンクロージャ。
【請求項７】
前記シールは、単一の一体構成要素である、
請求項１から６のいずれか１項に記載の滅菌可能なエンクロージャ。
【請求項８】
前記シールが、摂氏１３０度を超える融点を有する材料を含む、
請求項１から７のいずれか１項に記載の滅菌可能なエンクロージャ。
【請求項９】
前記滅菌可能なエンクロージャを前記閉位置に選択的にロックするためのロック機構を
さらに備え、前記ロック機構は、前記ベースおよび前記フレームの一方に回転可能に連結
された第１のロック要素と、前記ベースおよび前記フレームの他方に動作可能に取り付け
られ、前記第１のロック要素と係合して前記滅菌可能なエンクロージャを前記閉位置にロ
ックするように配置された第２のロック要素とを含む、
請求項１から８のいずれか１項に記載の滅菌可能なエンクロージャ。
【請求項１０】
前記シールは、前記ポータブル電子デバイスを収容するように形成された第１のシール
領域と、前記ロック機構を収容し、前記ロック機構を前記第１のシール領域から仕切るよ
うに形成された第２のシール領域とを画定している、
請求項９に記載の滅菌可能なエンクロージャ。
【請求項１１】
４つの別個のロック機構をさらに含み、
前記シールは、前記ロック機構の１つを収容するようにそれぞれ形成された４つの別個
の第２のシール領域を画定する、
請求項１０に記載の滅菌可能なエンクロージャ。
【請求項１２】
前記透明パネルが、アルミノシリケート材料を含む、
請求項１から１１のいずれか１項に記載の滅菌可能なエンクロージャ。
【請求項１３】
前記滅菌可能なエンクロージャが前記閉位置にあるときに、前記フレーム周縁、前記ベ
ース周縁および前記シール周縁は一致している、
請求項１から１２のいずれか１項に記載の滅菌可能なエンクロージャ。
【請求項１４】
前記ベースに動作可能に取り付けられ、前記ポータブル電子デバイスの前記タッチスク
リーンインターフェースを前記ガラスパネルに当接させるよう付勢し、前記滅菌可能なエ
ンクロージャが前記閉位置にあるときに前記ガラスパネルと前記固定されたポータブル電
子デバイスの前記タッチスクリーンインターフェースとの間の容量結合を可能にするバイ
アス機構をさらに含む、
請求項１から１３のいずれか１項に記載の滅菌可能なエンクロージャ。
【請求項１５】
タッチスクリーンインターフェースを有するポータブル電子デバイスを固定するのに使
用され、前記固定されたポータブル電子デバイスへの汚染物の侵入および前記固定された
ポータブル電子デバイスからの汚染物の退出を防止するための滅菌可能なエンクロージャ
であって、
窓を画定するフレームと、
前記フレームに結合されるベースであって、前記ベースおよび前記フレームは協働して
前記ポータブル電子デバイスが前記ベースと前記フレームとの間で固定される前記滅菌可
能なエンクロージャの閉位置を画定する、ベースと、
前記滅菌可能なエンクロージャを前記閉位置に選択的にロックするためのロック機構と
、
前記窓に隣接して前記フレームに動作可能に取り付けられ、前記滅菌可能なエンクロー
ジャが前記閉位置にロックされたときに前記ポータブル電子デバイスの前記タッチスクリ
ーンインターフェースに当接するように配置されたガラスパネルと、
前記固定されたポータブル電子デバイスへの汚染物の侵入および前記固定されたポータ
ブル電子デバイスからの汚染物の退出を防止するために、前記滅菌可能なエンクロージャ
が前記閉位置にロックされたときに前記ベースおよび前記フレームの少なくとも一方に動
作可能に取り付けられ、前記ベースと前記フレームとの間に係合するように配置されたシ
ールと、
前記ベースに動作可能に取り付けられ、前記ポータブル電子デバイスの前記タッチスク
リーンインターフェースを前記ガラスパネルに当接させるよう付勢し、前記滅菌可能なエ
ンクロージャが前記閉位置にあるときに前記ガラスパネルと前記固定されたポータブル電
子デバイスの前記タッチスクリーンインターフェースとの間の容量結合を可能にするバイ
アス機構と、
を含む滅菌可能なエンクロージャ。
【発明の詳細な説明】
【技術分野】
【０００１】
関連出願の相互参照
本特許出願は、２０１５年１０月５日に出願された米国仮特許出願第６２／２３７、３
１５号の優先権および全ての利益を主張するものであり、その開示は参照により本明細書
に組み込まれる。
【０００２】
本明細書に記載された実施形態は、全体的に、ポータブル電子デバイスのためのエンク
ロージャに関し、より具体的にはポータブル電子デバイスを固定するための滅菌可能なエ
ンクロージャに関する。
【背景技術】
【０００３】
ｉＰａｄ（登録商標）、タブレットコンピュータ、携帯電話などのポータブル電子デバ
イスは、通信および情報へのアクセスを容易にするために、多くの異なる環境および産業
において頻繁に利用されている。医療産業では、ポータブル電子デバイスは、トリアージ
、患者検査、および／または医療処置の実行中に医療専門家によってますます利用されて
いる。
【０００４】
医療産業において無菌性および／または清潔さを維持することは、伝染病、感染症、病
原体などの広がりを防止する上で重要であることが理解されるであろう。一例として、医
療処置は、通常、患者または他の人に害を及ぼす可能性がある汚染物の不用意な侵入を防
ぐために、無菌的にパッケージされたツールおよび材料を使用して無菌環境で行われる。
さらに、医療従事者が高度に伝染性の患者を治療した場合など、さもなければ他人に害を
及ぼす可能性がある汚染物の不用意な広がりを防止するために、医療処置が行われた後に
汚染物の移動を最小限に抑えることも重要であることが理解されるであろう。
【０００５】
したがって、汚染物の透過を防止するために、患者の治療に関連して使用される再使用
可能な器具および機器を適切に除染することに大きな注意が払われる。この目的のために
、手動洗浄、熱消毒による自動洗浄、蒸気滅菌（加圧チャンバ高温蒸気オートクレーブな
ど）、低温滅菌（「Ｓｔｅｒｒａｄ（登録商標）」など）、接触点の化学的消毒、消毒ワ
イプおよび化学薬品の適用など、当技術分野で知られた様々な汚染除去ステップおよび手
順が利用される。これらの汚染除去手順は、一般的な消費者用に設計された従来のポータ
ブル電子デバイスとはほとんど互換性がない。
【０００６】
一例として、ポータブル電子デバイスは、医療グレードの洗浄および／または殺菌剤と
適合しない材料から製造される場合がある。さらに、ポータブル電子デバイスは、しばし
ば、環境に開放され、不可逆的損傷を引き起こすことなく液体に曝すことができない１つ
または複数の接続ポートを含む。同様に、ポータブル電子デバイスのための様々なシール
ド、ケース、およびカバーが当技術分野では知られているが、多くは消費者用に特別に設
計されており、不利なギャップまたは隙間が存在するなどによって上記の汚染除去手順の
１つまたは複数と互換性がなく、高価であり、使用が困難であり、あるいは使用中のポー
タブル電子デバイスの機能を制限する可能性がある。
【０００７】
上述の理由から、固定されたポータブル電子デバイスへの汚染物の侵入および固定され
たポータブル電子デバイスからの汚染物の退出を防止すると共に、使いやすさ、機能性お
よび製造コストの間の実質的なバランスを取ると同時に医療業界で一般的に利用されてい
る汚染除去手順との互換性を提供する滅菌可能なエンクロージャが当技術分野において依
然として必要とされている。
【発明の概要】
【０００８】
一実施形態では、タッチスクリーンインターフェースを有するポータブル電子デバイス
を固定するのに使用され、固定されたポータブル電子デバイスへの汚染物の侵入および固
定されたポータブル電子デバイスからの汚染物の退出を防止するための滅菌可能なエンク
ロージャが提供される。フレーム周縁を含むフレームが提供される。フレームは窓を画定
し、透明パネルが窓に隣接してフレームに動作可能に取り付けられる。透明パネルは、ポ
ータブル電子デバイスのタッチスクリーンインターフェースに当接するように配置される
。フレームに連結され、ベース周縁を含むベースが提供される。ベースおよびフレームは
、協働してポータブル電子デバイスがベースとフレームとの間で固定される滅菌可能なエ
ンクロージャの閉位置を画定する。シール周縁を含むシールが提供される。シールは、固
定されたポータブル電子デバイスへの汚染物の侵入および固定されたポータブル電子デバ
イスからの汚染物の退出を防止するために、ベースおよびフレームの少なくとも一方に動
作可能に取り付けられ、滅菌可能なエンクロージャが閉位置にあるときにベースとフレー
ムとの間に係合するように配置される。シール周縁は、フレーム周縁およびベース周縁に
隣接して配置される。
【０００９】
他の実施形態では、タッチスクリーンインターフェースを有するポータブル電子デバイ
スを固定するのに使用され、固定されたポータブル電子デバイスへの汚染物の侵入および
固定されたポータブル電子デバイスからの汚染物の退出を防止するための滅菌可能なエン
クロージャが提供される。窓を画定するフレームが提供される。フレームに結合されるベ
ースが提供される。ベースおよびフレームは協働してポータブル電子デバイスがベースと
フレームとの間で固定される滅菌可能なエンクロージャの閉位置を画定する。滅菌可能な
エンクロージャを閉位置に選択的にロックするためのロック機構が提供される。ガラスパ
ネルは、窓に隣接してフレームに動作可能に取り付けられ、滅菌可能なエンクロージャが
閉位置にロックされたときにポータブル電子デバイスのタッチスクリーンインターフェー
スに当接するように配置される。シールは、固定されたポータブル電子デバイスへの汚染
物の侵入および固定されたポータブル電子デバイスからの汚染物の退出を防止するために
、滅菌可能なエンクロージャが閉位置にロックされたときにベースおよびフレームの少な
くとも一方に動作可能に取り付けられ、ベースとフレームとの間に係合するように配置さ
れる。バイアス機構は、ベースに動作可能に取り付けられ、ポータブル電子デバイスのタ
ッチスクリーンインターフェースをガラスパネルに当接させるよう付勢し、滅菌可能なエ
ンクロージャが閉位置にあるときにガラスパネルと固定されたポータブル電子デバイスの
タッチスクリーンインターフェースとの間の容量結合を可能にする。
【００１０】
他の実施形態では、タッチスクリーンインターフェースを有するポータブル電子デバイ
スを固定するのに使用され、固定されたポータブル電子デバイスへの汚染物の侵入および
固定されたポータブル電子デバイスからの汚染物の退出を防止するための滅菌可能なエン
クロージャが提供される。窓を画定するフレームが提供される。窓を画定するフレームが
提供される。フレームに結合されるベースが提供される。ベースおよびフレームは協働し
てポータブル電子デバイスがベースとフレームとの間で固定される滅菌可能なエンクロー
ジャの閉位置を画定する。滅菌可能なエンクロージャを閉位置に選択的にロックするため
のロック機構が提供される。ロック機構は、ベースおよびフレームの一方に回転可能に結
合されたロック要素を含む。ガラスパネルは、窓に隣接してフレームに動作可能に取り付
けられ、滅菌可能なエンクロージャが閉位置にロックされたときにポータブル電子デバイ
スのタッチスクリーンインターフェースに当接するように配置される。シールは、ベース
およびフレームの少なくとも一方に動作可能に取り付けられる。ロック機構のロック要素
の第１の位置から第２の位置への回転は、ベースとフレームとを互いに向かって付勢して
、ガラスパネルと固定されたポータブル電子デバイスのタッチスクリーンインターフェー
スとの間の容量結合を可能にし、固定されたポータブル電子デバイスへの汚染物の侵入お
よび固定されたポータブル電子デバイスからの汚染物の退出を防止するためにシールと係
合する。
【００１１】
他の実施形態では、タッチスクリーンインターフェースを有するポータブル電子デバイ
スを固定するのに使用され、固定されたポータブル電子デバイスへの汚染物の侵入および
固定されたポータブル電子デバイスからの汚染物の退出を防止するための滅菌可能なエン
クロージャが提供される。窓を画定するフレームが提供され、透明パネルが窓に隣接して
フレームに動作可能に取り付けられる。透明パネルは、ポータブル電子デバイスのタッチ
スクリーンインターフェースに当接するように配置される。フレームに連結されるベース
が提供される。ベースおよびフレームは協働してポータブル電子デバイスがベースとフレ
ームとの間で固定される滅菌可能なエンクロージャの閉位置を画定する。シールは、固定
されたポータブル電子デバイスへの汚染物の侵入および固定されたポータブル電子デバイ
スからの汚染物の退出を防止するために、滅菌可能なエンクロージャが閉位置にあるとき
にベースおよびフレームの一方に動作可能に取り付けられ、ベースとフレームとの間に係
合するように配置される。係合要素は、ベースおよびフレームの他方に動作可能に取り付
けられ、滅菌可能なエンクロージャが閉位置にあるときにシールと係合するように形成さ
れる。シールおよび係合要素はそれぞれ、ベースおよびフレームの第１の部分を含むタッ
チゾーンと、ベースおよびフレームとの第２の部分を含むノータッチゾーンと、の間の境
界を画定する。表示が提供され、タッチゾーンの第１の部分とノータッチゾーンの第２の
部分とを区別して滅菌可能なエンクロージャのベースおよびフレームの第１の部分内の接
触のみを促進するように構成される。
【００１２】
他の実施形態では、滅菌環境で使用するためのタッチスクリーンインターフェースを有
するポータブル電子デバイスを固定する方法が提供される。方法は、透明パネルを有する
窓を画定するフレームであって、透明パネルが窓に隣接してフレームに動作可能に取り付
けられ、ポータブル電子デバイスのタッチスクリーンインターフェースに当接するように
配置されたフレームと、フレームに枢動可能に取り付けられたベースと、固定されたポー
タブル電子デバイスへの汚染物の侵入および固定されたポータブル電子デバイスからの汚
染物の退出を防止するために、滅菌可能なエンクロージャが閉位置にあるときにベースと
フレームとの間に係合されるように配置されたシールと、を含む滅菌可能なエンクロージ
ャを配置するステップと、フレームをベースから旋回させて離して滅菌可能なエンクロー
ジャを開位置に保持しながら、滅菌可能なエンクロージャの少なくとも一部を汚染物から
遮蔽するように構成された移送装置を配置するステップと、移送装置を用いて滅菌可能な
エンクロージャを開位置に保持するステップと、開位置にある間にポータブル電子デバイ
スを滅菌可能なエンクロージャに挿入するステップと、移送装置を滅菌可能なエンクロー
ジャから引き離して、フレームがベースへ向けて閉位置へ移動することができるようにす
るステップと、を含む。
【００１３】
滅菌可能なエンクロージャは、固定されたポータブル電子デバイスへの汚染物の侵入お
よび固定されたポータブル電子デバイスからの汚染物の退出の両方を防止し、それにより
、無菌性に著しく寄与し、産業におけるポータブル電子デバイスの堅牢な利用の機会を増
加させると同時に、滅菌可能なエンクロージャの製造、組立て、および使用のコストと複
雑さを削減する。場合によっては、ポータブル電子デバイスは、化学消毒剤などによって
微生物を除去または殺すための日常的な汚染除去を必要とするデバイスとしてそれらを分
類する方法で使用される。滅菌可能なエンクロージャは、そのような汚染除去手順を可能
にする解決策を提供する。
【図面の簡単な説明】
【００１４】
【図１】図１は、一実施形態による滅菌可能なエンクロージャの上面斜視図であり、ベースおよびフレームが閉位置に配置された状態でフレームに旋回可能に連結されたベースと、ロック構成で示されるロック機構とを示している。
【図２】図２は、図１の滅菌可能なエンクロージャの底面斜視図である。
【図３】図３は、図１〜図２の滅菌可能なエンクロージャの上面斜視図であり、ロック機構がロック解除された構成において閉位置で示されている。
【図４】図４は、図１〜図３の滅菌可能なエンクロージャの上面斜視図であり、完全開位置で示されている。
【図５】図５は、図４の滅菌可能なエンクロージャのベースから離間されたポータブル電子デバイスの上面斜視図である。
【図６】図６は、図５のポータブル電子デバイスおよび滅菌可能なエンクロージャの上面斜視図であり、ベースに着座したポータブル電子デバイスと共に示されている。
【図７】図７は、図６のポータブル電子デバイスおよび滅菌可能なエンクロージャの上面斜視図であり、ロック機構がロック解除された構成において閉位置で示されている。
【図８】図８は、図７のポータブル電子デバイスおよび滅菌可能なエンクロージャの上面斜視図であり、ロック機構がロックされた構成において閉位置で示されている。
【図９】図９は、図４の滅菌可能なエンクロージャの上面平面図であり、ロック機構がロック解除された構成において開位置で示されている。
【図１０】図１０は、図９の滅菌可能なエンクロージャの底面平面図であり、ロック機構がロック解除された構成において開位置で示されている。
【図１１】図１１は、図１の滅菌可能なエンクロージャの上面平面図であり、ロック機構がロックされた構成において閉位置で示されている。
【図１２】図１２は、図１１の１２−１２線に沿ったオフセット断面図である。
【図１３】図１３は、図１２の表示１３から取った滅菌可能なエンクロージャの拡大部分断面図である。
【図１４Ａ】図１４Ａは、図１２の表示１４Ａから取った滅菌可能なエンクロージャの拡大部分断面図であり、一実施形態によるボタン配置を示している。
【図１４Ｂ】図１４Ｂは、図１４Ａのボタン配置に代わる他のボタン配置の拡大部分断面図である。
【図１４Ｃ】図１４Ｃは、図１４Ａおよび図１４Ｂのボタン配置に代わる他のボタン配置の拡大部分断面図である。
【図１５】図１５は、図１２の表示１５から取った滅菌可能なエンクロージャの拡大部分断面図である。
【図１６】図１６は、図１１の線１６−１６に沿ったオフセット断面図である。
【図１７Ａ】図１７Ａは、図１１の線１７Ａ−１７Ａに沿ったオフセット断面図であり、ロック機構がロック構成で示されている。
【図１７Ｂ】図１７Ｂは、図１７Ａの滅菌可能なエンクロージャのオフセット断面図であり、ロック機構をロック解除構成で示している。
【図１８Ａ】図１８Ａは、図６の滅菌可能なエンクロージャのベースに着座したポータブル電子デバイスの部分斜視図であり、ロック機構がロック解除構成で示され、フレームがベースに隣接してベースから離間し、ロック機構が第１の位置に示されたロック要素を有するキャッチと共に描かれている。
【図１８Ｂ】図１８Ｂは、図１８Ａのポータブル電子デバイスおよび滅菌可能なエンクロージャの他の部分斜視図であり、図１８Ａに示されているものよりもベースのより近くに離間して配置されたフレームとともに示されている。
【図１８Ｃ】図１８Ｃは、図１８Ａ〜図１８Ｂのポータブル電子デバイスおよび滅菌可能エンクロージャの他の部分斜視図であり、ロック要素が図１８Ａ〜図１８Ｂに示す第１の位置から離れて回転して示されている。
【図１８Ｄ】図１８Ｄは、図１８Ａ〜図１８Ｃのポータブル電子デバイスおよび滅菌可能なエンクロージャの他の部分斜視図であり、ロック要素が図１８Ｃに示されているものよりも第１の位置からさらに離れて回転して示されている。
【図１８Ｅ】図１８Ｅは、図１８Ａ〜図１８Ｄのポータブル電子デバイスおよび滅菌可能なエンクロージャの他の部分斜視図であり、ロック機構がロック解除構成であり、ロック要素が第２の位置にある閉位置で示されている。
【図１９】図１９は、図１〜図１８Ｅに示す滅菌可能なエンクロージャの他の実施形態の上面斜視図であり、ベースに動作可能に取り付けられベースと連通する補助ハウジングと共に示されている。
【図２０Ａ】図２０Ａは、図１〜図１８Ｅに示す滅菌可能なエンクロージャに隣接して配置して示された一実施形態による移送装置の斜視図である。
【図２０Ｂ】図２０Ｂは、図５のポータブル電子デバイスに隣接して配置して示された、図２０Ａの移送装置および滅菌可能なエンクロージャの他の斜視図であり、滅菌可能なエンクロージャが移送装置によって開状態に保持されている。
【図２０Ｃ】図２０Ｃは、図２０Ｂの移送装置、滅菌可能なエンクロージャ、およびポータブル電子デバイスの他の斜視図であり、ポータブル電子デバイスが移送装置によって開状態に保持された滅菌可能なエンクロージャのベースに着座して示されている。
【図２１】図２１は、図２０Ａ〜図２０Ｃの移送装置の上面斜視図である。
【図２２】図２２は、図２０Ａ〜図２１の移送装置の底面斜視図である。
【図２３】図２３は、図１０の滅菌可能なエンクロージャの底面平面図であり、ロック機構がロック解除された構成において開位置で示され、滅菌可能なエンクロージャのノータッチゾーンを示している。
【図２４】図２４は、図２３の滅菌可能なエンクロージャの上面平面図であり、滅菌可能なエンクロージャのノータッチゾーンの部分を示し、滅菌可能なエンクロージャのタッチゾーン内の表示を示している。
【図２５】図２５は、滅菌可能なエンクロージャの一実施形態の概略図であり、それぞれが表示を有し開位置に配置されたベースおよびフレームを示している。
【図２６】図２６は、他の実施形態による滅菌可能なエンクロージャの上面斜視図であり、ベースおよびフレームが開位置に配置された状態でフレームに旋回可能に連結されたベースと、ロック解除構成で示されたロック機構とを示している。
【図２７】図２７は、図２６の滅菌可能なエンクロージャの底面斜視図である。
【図２８】図２８は、他の実施形態による滅菌可能なエンクロージャの上面部分分解斜視図であり、ベースとフレームとの間に配置されたポータブル電子デバイスと共に互いに離間したベースおよびフレームを示している。
【図２９】図２９は、図２８の滅菌可能なエンクロージャおよびポータブル電子デバイスの底側部分分解斜視図である。
【図３０】図３０は、図２８の表示３０から取った滅菌可能なエンクロージャのベースの拡大部分斜視図である。
【図３１】図３１は、図２９の表示３１から取った滅菌可能なエンクロージャのフレームの拡大部分斜視図である。
【図３２】図３２は、図２８〜図３１の滅菌可能なエンクロージャの上面平面図であり、閉位置で示されている。
【図３３】図３３は、図３２の３３−３３線に沿った断面図である。
【図３４】図３４は、図３３の表示３４から取った滅菌可能なエンクロージャの拡大部分断面図である。
【図３５】図３５は、図３２の線３５−３５に沿った断面図である。
【図３６】図３６は、図３２の線３６−３６に沿った断面図である。
【図３７】図３７は、一実施形態による滅菌可能なエンクロージャと共に使用するバイアス機構の中間デバイスアダプタおよびバイアス要素から間隔を置いて示された他のポータブル電子デバイスを示す分解斜視図である。
【図３８】図３８は、滅菌可能なエンクロージャの他の実施形態の上面平面図であり、ロック機構を作動させるためのリンクと共に示されている。
【図３９】図３９は、滅菌可能なエンクロージャの他の実施形態の部分分解斜視図であり、ベースとフレームとの間に間隔を置いて配置されたポータブル電子デバイスと共に開位置で示されている。
【図４０】図３９の滅菌可能なエンクロージャのフレームの上面平面図であり、ロック解除構成のロック機構を示している。
【図４１】図４１は、一実施形態による事前組立て機構を有する滅菌可能なエンクロージャのフレームから間隔を置いて配置されたポータブル電子デバイスの斜視図である。
【図４２】図４２は、図４１のフレームの事前組立て装置によって係合されたポータブル電子デバイスの底面平面図である。
【図４３】図４３は、図４２の事前組立て装置に代わる事前組立て装置によって係合されたポータブル電子デバイスの部分断面図である。
【図４４Ａ】図４４Ａは、一実施形態による滅菌可能なエンクロージャの部分上面図であり、ロック解除されたニュートラル構成のロック機構を有して示されている。
【図４４Ｂ】図４４Ｂは、図４４Ａの滅菌可能なエンクロージャの他の部分上面図であり、ロック機構がロック構成で示されている。
【図４４Ｃ】図４４Ｃは、図４４Ａ〜図４４Ｂの滅菌可能なエンクロージャの他の部分上面図であり、オートクレーブ構成のロック機構と共に示されている。
【図４５Ａ】図４５Ａは、図４４Ａの線４５Ａ−４５Ａに沿った部分断面図である。
【図４５Ｂ】図４５Ｂは、図４４Ｂの線４５Ｂ−４５Ｂに沿った部分断面図である。
【図４５Ｃ】図４５Ｃは、図４４Ｃの線４５Ｃ−４５Ｃに沿った部分断面図である。
【図４６】図４６は、一実施形態による滅菌可能なエンクロージャの部分上面図であり、ポータブル電子デバイスに隣接して配置されたベースに動作可能に取り付けられた密封コネクタと共に示されている。
【図４７】図４７は、他の実施形態による滅菌可能なエンクロージャの部分上面図であり、ポータブル電子デバイスに隣接して配置されたベースに動作可能に取り付けられた密封コネクタ、ハーネス、および補助ケーブルと共に示されている。
【発明を実施するための形態】
【００１５】
ここで、図面を参照すると、いくつかの図面を通して同様の符号は同様の部分を示して
おり、滅菌可能なエンクロージャが図１〜図２０Ｃに全体的に１００で示されている。以
下でより詳細に説明するように、滅菌可能なエンクロージャ１００は、タッチスクリーン
インターフェース１０４（図５参照）を有する全体的に１０２で示されたポータブル電子
デバイスを固定する際の使用に適しており、さらに固定されたポータブル電子デバイス１
０２へのおよびそこからの汚染物の進入および退出を防止するのに適している。その目的
のために、滅菌可能なエンクロージャ１００は、ウィンドウ１０８を画定する全体的に１
０６で示されたフレームを含む。フレーム１０６に連結された全体的に１１０で示された
ベースが提供される。ベース１１０およびフレーム１０６は協働して、ポータブル電子デ
バイス１０２がベース１１０とフレーム１０６との間に固定される滅菌可能なエンクロー
ジャ１００の閉位置１００Ａを画定する。
【００１６】
本明細書に示す代表的な実施形態では、滅菌可能なエンクロージャ１００は、以下によ
り詳細に説明するように、滅菌可能なエンクロージャ１００を閉位置１００Ａに選択的に
ロックするためにベース１１０およびフレーム１０６に動作可能に取り付けられた全体的
に１１２で示されたロック機構をさらに含む。ガラスパネル１１４などの透明なパネルは
、窓１０８に隣接してフレーム１０６に動作可能に取り付けられ、滅菌可能なエンクロー
ジャ１００が閉位置１００Ａにロックされたときにポータブル電子デバイス１０２のタッ
チスクリーンインターフェース１０４に当接して、ガラスパネル１１４とタッチスクリー
ンインターフェース１０４との間の容量結合をもたらすように配置される。シール１１６
は、ベース１１０およびフレーム１０６の少なくとも一方に動作可能に取り付けられ、滅
菌可能なエンクロージャ１００が閉位置１００Ａにロックされたときに、固定されたポー
タブル電子デバイス１０２へのおよびそこからの汚染物の進入および退出を防止するよう
に、ベース１１０とフレーム１０６との間に係合するように配置される（例えばそれらの
間に圧縮される）。これらの構成要素のそれぞれには、以下により詳細に説明する。
【００１７】
以下の説明から理解されるように、本開示は、全体的に、２つのタイプの滅菌可能なエ
ンクロージャ、すなわち、ベース１１０およびフレーム１０６が１つまたは複数のヒンジ
１１８を介して相互に旋回可能に取り付けられる第１のタイプ（図１〜図２０、図２３〜
２４、および図２６〜図２７に示される実施形態を参照）、およびヒンジを備えない第２
のタイプ（図２８〜図３６および図３９〜図４０に示される実施形態を参照）に向けられ
ている。さらに、当業者であれば、特定の構成要素、構造、および構成は、実施形態間で
共通であり、以下により詳細に記載されるように、特定の用途の実施形態間で交換可能で
あることを理解するであろう。
【００１８】
本明細書で説明する実施形態では、滅菌可能なエンクロージャ１００の様々な構成要素
のうちの１つまたは複数、または全てが、滅菌可能なエンクロージャ１００が摂氏１３４
度の温度に３分間さらされるまたは摂氏１２１度の温度に１５分間さらされるオートクレ
ーブにおける反復蒸気滅菌に耐えることができる。滅菌可能なエンクロージャ１００の構
成要素は、医療用／外科用機器の洗浄に使用される化学洗浄剤に耐えるように構成するこ
ともできる。他の実施形態では、滅菌可能なエンクロージャ１００は、医療機器用の全て
の既知の滅菌および汚染除去方法、または特定の滅菌方法および／または特定の汚染除去
方法のみに耐えるように構成することができる。一実施形態では、「耐える」とは、溶融
、変形、または分解することなく汚染除去条件を経験することを意味する。汚染除去のた
めの特定の方法は、手動洗浄、自動洗浄（熱殺菌剤など）、蒸気滅菌、低温滅菌（Ｓｔｅ
ｒｒａｄ（登録商標）など）、化学消毒（例えば接触点）、（洗剤およびマイクロファイ
バー材料などを用いた）化学的および機械的洗浄などを含み得る。
【００１９】
この目的のために、ベース１１０および／またはフレーム１０６などの滅菌可能なエン
クロージャ１００の特定の構成要素は、動作中の固定されたポータブル電子デバイス１０
２の熱伝達を容易にする１つまたは複数の材料から有利に製造することができる。非限定
的な例として、ベース１１０および／またはフレーム１０６は、アルミニウム、ステンレ
ス鋼、マグネシウムなどから少なくとも部分的または完全に製造することができる。さら
に、炭素繊維、プラスチック、レイデル（Ｒａｙｄｅｌ）（登録商標）のような複合材、
またはそれらの組み合わせ、または任意の他の適切な材料のような他の材料を有利に使用
することができる。上述の「構成要素」は、フレーム１０６、ベース１１０、シール１１
６、透明なパネル１１４などを含むがこれらに限定されない上述の滅菌可能なエンクロー
ジャ１００の各部分または全ての部品を含むことができる。さらに、特定の実施形態では
、滅菌可能なエンクロージャは、摂氏１３０度を超える融点を有する材料から構成されて
もよい。さらに、後続の以下の説明から理解されるように、特定の構成要素は、抗菌特性
をもたらすように処理、コーティングなどがされた材料を含むことができる。非限定的な
例として、銅合金コーティングまたはめっきを滅菌可能なエンクロージャ１００の１つま
たは複数の構成要素に適用して、抗菌特性を促進するかあるいは抗菌特性をもたらしても
よい。
【００２０】
ポータブル電子デバイス１０２は、Ｂｌｕｅｔｏｏｔｈ（登録商標）、ＷｉＦｉ（登録
商標）ローカルエリアネットワーク（ＬＡＮ）などを介した無線通信を介して、他のコン
ピュータ、デバイス、システム、センサ、マシン、および／またはネットワークと相互作
用するように構成されてもよい。図５、図４６、および図４７に最もよく示されているよ
うに、ポータブル電子デバイス１０２はまた、タッチスクリーンインターフェース１０４
によって提供される制御に加えてポータブル電子デバイス１０２の選択的制御を容易にす
るための「ホームボタン」などの１つまたは複数の入力制御部１２０を含むこともできる
。さらに、ポータブル電子デバイス１０２は、１つまたは複数の電気コネクタまたはケー
ブルに接続するために、「充電ポート」、「ヘッドホンポート」、および／または「デー
タポート」などのような１つまたは複数の接続ポート１２２を含むことができる。
【００２１】
図４６および図４７に示す代表的な実施形態では、滅菌可能なエンクロージャ１００は
、ベース１１０に動作可能に取り付けられ、ポータブル電子デバイス１０２の接続ポート
１２２と滅菌可能なエンクロージャ１００の外部のケーブル１２６との間の電気通信を容
易にするように構成された全体的に１２４で示された密封コネクタと、有利に滅菌可能で
あり得る固定されたポータブル電子デバイス１０２と、を含む。図４６に示す実施形態で
は、ポータブル電子デバイス１０２は、密封コネクタ１２４に取り外し可能に直接取り付
けられてもよい。図４７に示す実施形態では、ポータブル電子デバイス１０２は、全体的
に１２８で示されたハーネスに取り外し可能に取り付けることができ、ハーネスは続いて
、密封コネクタ１２４に取り外し可能に（または恒久的に）取り付けることができる。こ
の実施形態では、ハーネス１２８は、密封コネクタ１２４および／または接続ポート１２
２と電気通信して配置される全体的に１３０で示された補助ケーブルをさらに含む。ここ
で、補助ケーブル１３０は、１つまたは複数のセンサ、データ伝送モジュール、電源また
は電池、誘導充電モジュール、カメラ、スキャナ（例えば、バーコードスキャナまたはＲ
ＦＩＤスキャナ）などのような、滅菌可能なエンクロージャ１００に動作可能に取り付け
られているか、あるいは一体化されていてもよい他の構成要素に接続するために適してい
る。密封コネクタ１２４のように、ハーネス１２８および補助ケーブル１３０は、以下に
より詳細に記載されるように、ポータブル電子デバイス１０２が滅菌可能なエンクロージ
ャ１００内に固定され閉位置１００Ａにロックされたときに、外部環境から隔離されるよ
うに同様に配置される。
【００２２】
図１９に示す実施形態では、滅菌可能なエンクロージャ１００は、補助ケーブル１３０
と関連して上述した１つまたは複数の構成要素を収容するために使用することができる全
体的に１３２で示された補助ハウジングをさらに含む。補助ハウジング１３２は、全体的
に中空の構成を有し、ファスナ１３４を介してベース１１０に動作可能に取り付けられ、
ベース１１０に画定された補助開口１３６と連通して配置される。補助シール（図示せず
）を設けて、ベース１１０への補助ハウジング１３２の接続を容易にし、補助ハウジング
１３２の近隣の汚染物の進入および／または退出を防止することができる。代替的に、補
助ハウジング１３２は、ハウジング１３２と一体的に形成されてもよいことが理解される
であろう。
【００２３】
図１９に示すように、一実施形態では、補助ハウジング１３２は、センサパネル１４０
が支持されるセンサ窓１３８を画定する。ここで、センサパネル１４０は、そこを通って
光を透過させることができるように構成されており、補助ハウジング１３２がバーコード
スキャナを収容するような特定の用途には有利であり得る。センサパネル１４０は、ガラ
ス、サファイア、石英、プラスチックなどのような光を透過させるのに十分な任意の適切
な材料から製造され、また、本明細書に記載の様々な汚染除去手順の条件に耐えることが
できる。特定の実施形態では、補助ハウジング１３２は、紫外線、赤外線などの様々な形
態の電磁気通信を通過させることができる材料を含むことができる。センサパネル１４０
と補助ハウジング１３２は、固定されたポータブル電子デバイス１０２へのおよびそこか
らの汚染物の進入および退出を防止するのに十分な任意の方法で滅菌可能なエンクロージ
ャ１００の任意の適切な部分に固定することができることは理解されるであろう。さらに
、補助ハウジング１３２、センサパネル１４０、密閉コネクタ１２４、ケーブル１２６、
ハーネス１２８、および／または補助ケーブル１３０は、限定することなく本明細書に記
載の他の実施形態と関連して使用することができることは理解されるであろう。
【００２４】
図面全体を通じて示される代表的な実施形態では、ポータブル電子デバイス１０２のタ
ッチスクリーンインターフェース１０４は、（詳細には示されていないが、関連技術にお
いて一般に知られている）いわゆる「静電容量式タッチ」インターフェースとして実現さ
れる。ここで、一実施形態では、ガラスパネル１１４は、滅菌可能なエンクロージャ１０
０が閉位置１００Ａにロックされているときに、ガラスパネル１１４の外側に面する側の
ユーザによる外部触覚係合が、指またはスタイラスのような導電性物体（図示されていな
いが当技術分野では一般に知られている）との相互作用を介してポータブル電子デバイス
１０２の静電界に少なくとも部分的に変換されるように配置される。ポータブル電子デバ
イス１０２自体は、滅菌可能なエンクロージャ１００の構成要素ではなく、したがって、
任意の適切なタイプのタッチスクリーンインターフェース１０４を使用することができる
ことが理解されるであろう。同様に、ポータブル電子デバイス１０２は、滅菌可能な筐体
１００によって固定されるのに十分な任意の適切なサイズ、タイプ、または構成とするこ
とができることが理解されるであろう。非限定的な例として、ポータブル電子デバイス１
０２は、ｉＰａｄ（登録商標）、タブレットコンピュータ、携帯電話、またはタッチスク
リーンインターフェース１０４を使用する任意の他のタイプのポータブル電子デバイスで
あり得る。さらに、いくつかの代替の実施形態では、ポータブル電子デバイス１０２は、
他のタイプのユーザインターフェースを含むことができる。
【００２５】
再び図１〜図２０Ｃを参照すると、上述したように、ロック機構１１２は、滅菌可能な
エンクロージャ１００を閉位置１００Ａに選択的にロックするために設けられている。こ
の目的のために、一実施形態では、ロック機構１１２は、ベース１１０およびフレーム１
０６の一方に回転可能に連結された第１のロック要素１４２と、ベース１１０およびフレ
ーム１０６の他方に動作可能に取り付けられた第２のロック要素１４４とを含む。図１８
Ａ〜図１８Ｅに最もよく示されているように、第１のロック要素１４２が第１の位置１４
２Ａ（図１８Ａおよび１８Ｂ参照）から第２の位置１４２Ｂ（図１８Ａ〜図１８Ｄと比較
して図１８Ｅ参照）へ回転すると、ベース１１０およびフレーム１０６を相互に向き合う
ように促し、ガラスパネル１１４と固定されたポータブル電子デバイス１０２のタッチス
クリーンインターフェース１０４との間の容量結合を可能にし、固定されたポータブル電
子デバイス１０２へのおよびそこからの汚染物の進入および退出を防止するためにシール
１１６と係合する。
【００２６】
本明細書に示す代表的な実施形態では、ロック機構１１２の第１のロック要素１４２お
よび第２のロック要素１４４は協働して、滅菌可能なエンクロージャ１００を閉位置１０
０Ａに選択的にロックする。この目的のために、第１のロック要素１４２は、ラッチ１４
６とカム１４８とを含み、第２のロック要素１４４は、キャッチ１５０を含む。ここで、
ラッチ１４６は、細長い概ねＣ形状の輪郭を有し、ラッチ１４６とベース１１０との間に
配置されたワッシャ１５２（図１７Ａおよび図１７Ｂを参照）を用いてファスナ１３４を
介してベース１１０に回転可能に連結される。当業者であれば、上述したように、ラッチ
１４８のＣ形状の輪郭が閉位置１００Ａにロックされたときにシール１１６の係合を促進
するのを助けることを理解するであろう。本明細書に示す代表的な実施形態では、第１の
ロック要素１４２は、カム１４８およびラッチ１４６が一体的に形成され、したがって、
第１の位置１４２Ａ（図１７Ａおよび１７Ｂを参照）と第２の位置１４２Ｂ（図１７Ｂお
よび図１８Ｂを参照）との間で同時に回転するように、単一の一体構成要素として実現さ
れる。次に、キャッチ１５０は、ファスナ１３４を介してフレーム１０６に動作可能に取
り付けられ、第１のロック要素１４２のカム１４８と係合するように形成されており、第
１のロック要素１４２が第２の位置１４２Ｂに向けて回転すると、カム１４８とキャッチ
１５０との間の係合の結果としてフレーム１０６がベース１１０に向けて促されるように
なっている。図１８Ａ〜図１８Ｄに最もよく示されているように、窪み部１５４は、キャ
ッチ１５０に隣接してフレーム１０６に画定され、第１のロック要素１４２のラッチ１４
６に相補的に形成される。この構成は、閉位置１００Ａ（図１および図２参照）にロック
されたときに、実質的に連続した外面１５６を有する滅菌可能なエンクロージャ１００を
提供することが理解されるであろう。ロック機構１１２の他の構成を、滅菌可能なエンク
ロージャ１００の様々な実施形態とともに使用することができることが理解されるであろ
う。
【００２７】
ヒンジ１１８を利用してベース１１０とフレーム１０６とを旋回可能に連結する本明細
書に示す滅菌可能なエンクロージャ１００の実施形態では、第１のロック要素１４２と第
２のロック要素１４４の両方がシール１１６の外側に配置され、シール１１６は、ロック
機構１１２と固定されたポータブル電子デバイス１０２との間に配置される。この構成は
、外部環境から固定されたポータブル電子デバイス１０２への有効な漏れ経路の数を減少
させるか、またはその逆を行うことができる。換言すると、シール１１６は、ロック機構
１１２またはヒンジ１１８によって中断されない。ヒンジ１１８および／またはロック機
構１１２は、いくつかの異なる方法で構成され得ることが理解されるであろう。ヒンジ１
１８とともに示される実施形態では、滅菌可能なエンクロージャ１００は、一対の第１の
ロック要素１４２と、対応する一対の第２のロック要素１４４とを含み、カム１４８は、
それぞれのキャッチ１５０と協働して、滅菌可能なエンクロージャ１００を閉位置１００
Ａへ選択可能にロックする。しかしながら、後続の以下の説明から理解されるように、ロ
ック機構１１２は、ベース１１０およびフレーム１０６を閉位置１１０Ａに固定するのに
十分な任意の適切な構成を有して、上述の容量結合およびシール１１６係合をもたらすこ
とができ、したがって、ロック機構１１２は、任意の適切な方法でベース１１０および／
またはフレーム１０６に動作可能に取り付けられ得るかあるいはこれと一体的に形成され
てもよい。
【００２８】
図面全体を通じて示される代表的な実施形態では、第１のロック要素１４２の第１の位
置１４２Ａから第２の位置１４２Ｂへの回転は、ロック機構１１２のロック構成１１２Ａ
（図１７Ａおよび１８Ａ参照、図４４Ａおよび４５Ａも参照）とロック解除構成１１２Ｂ
（図１７Ｂおよび図１８Ｂを参照、図４４Ｂおよび図４５Ｂも参照）との間の対応する移
動を引き起こす。ロック構成１１２Ａでは、ベース１１０およびフレーム１０６が滅菌可
能なエンクロージャ１００の閉位置１００Ａに当接ロックされた状態で維持されるように
、カム１４８がキャッチ１５０に係合する。ロック解除構成１１２Ｂでは、ベース１１０
およびフレーム１０６が当接しない滅菌可能なエンクロージャ１００の開位置１００Ｂへ
移動することができるように、カム１４８はキャッチ１５０から解除される。
【００２９】
図４４Ｃおよび図４５Ｃに示すように、ロック機構１１２は、オートクレーブ構成１１
２Ｃも有してもよく、第１のロック要素１４２の第３の位置１４２Ｃへの回転は、ベース
１１０およびフレーム１０６を互いに当接させないように促す。ここで、第１のロック要
素１４２が第３の位置１４２Ｃにあるオートクレーブ構成１１２Ｃにおいて、カム１４８
は、第１のロック要素１４２がその後第３の位置１４２Ｃから回転されるまで、滅菌可能
なエンクロージャ１００が開位置１００Ｂに留まることを保証する。後続の以下の説明か
ら理解されるように、この構成は、オートクレーブ滅菌プロセス中に有利に利用すること
ができ、滅菌可能なエンクロージャ１００は、滅菌プロセスの間に、加圧されたチャンバ
内に配置され、滅菌可能なエンクロージャ１００の様々な構成要素の具体的な構成、配置
、シール状態、および幾何学的形状に応じて滅菌可能なエンクロージャ１００のいたる所
にガラスパネル１１４を損傷するのに十分な圧力差を生じさせ得る比較的高温の飽和蒸気
にさらされる。それにもかかわらず、滅菌可能なエンクロージャ１００は、別個のオート
クレーブ構成１１２Ｃを省略することができる。
【００３０】
一実施形態では、滅菌可能なエンクロージャ１００は、閉位置１００Ａにロックされた
滅菌可能なエンクロージャ１００の圧力を所定の環境条件と等しくするために、ベース１
１０および／またはフレーム１０６に動作可能に取り付けられた（図２にファントムで概
略的に示されている）バルブ１５８を含むことができる。バルブ１５８は、固定されたポ
ータブル電子デバイス１０２の通常の動作の間に閉じたままであり、上述のオートクレー
ブ滅菌サイクルの間のように、所定の圧力差閾値に達することに応じて、開くかあるいは
環境と圧力を等しくするように構成することができることが理解されるであろう。さらに
、バルブ１５８は、自動的に開くことができ、または（図示されていないが、当技術分野
で一般的に知られている）ボタンを用いて手動で作動させることができることは理解され
るであろう。さらに、バルブ１５８は、ポータブル電子デバイス１０２が滅菌可能なエン
クロージャ１００に設置されているかあるいは固定されているか否かに応じて異なる方法
で動作するように構成することができる。
【００３１】
図１〜図２０Ｃに示す滅菌可能なエンクロージャ１００の実施形態では、第１のロック
要素１４２は、ラッチ１４６が第１の位置１４２Ａ（図７参照）にあるときに互いにほぼ
平行であり、第２の位置１４２Ｂ（図８参照）にあるとき互いに全体的に向き合うように
、類似している。しかしながら、図３８に図示された実施形態によって示されるように、
第１のロック要素１４２も第２の位置１４２Ｂにあるときに全体的に平行であるような他
の構成も実現され得ることが理解されるであろう。この実施形態では、滅菌可能なエンク
ロージャ１００は、第１のロック要素１４２の両方に動作可能に取り付けられており、こ
れらと並行移動して両方の第１のロック要素１４２を同時に選択的に移動させる全体的に
１６０で示されたリンクをさらに含む。
【００３２】
上述したように、ベース１１０およびフレーム１０６は、滅菌可能なエンクロージャ１
００が閉位置１００Ａにロックされたときに、協働してこれらの間にポータブル電子デバ
イス１０２を固定して、シール１１６と係合し、ガラスパネル１１４とポータブル電子デ
バイス１０２のタッチスクリーンインターフェース１０４との間の容量結合をもたらす。
容量結合を促進するために、一実施形態では、滅菌可能なエンクロージャ１００は、ベー
ス１１０および／またはフレーム１０６に動作可能に取り付けられた全体的に１６２で示
されたバイアス機構をさらに含む（図４、図９、および図１６参照）。バイアス機構１６
２は、ポータブル電子デバイス１０２のタッチスクリーンインターフェース１０４が所定
の力でガラスパネル１１４に当接するように促し、滅菌可能なエンクロージャ１００が閉
位置１００Ａにロックされたときに、ガラスパネル１１４と固定されたポータブル電子デ
バイス１０２のタッチスクリーンインターフェース１０４との間の容量結合を可能にする
。
【００３３】
図１〜図２０Ｃに示される代表的な実施形態では、バイアス機構１６２は、４つのバイ
アス要素１６４として実現され、そのそれぞれは、ファスナ１３４を介してベース１１０
の支持面１６６に動作可能に取り付けられる（図４、９、および１６を参照）。バイアス
要素１６４は、ポータブル電子デバイス１０２を支持し、ポータブル電子デバイス１０２
をガラスパネル１１４に向かって促すように形成され配置されている。バイアス要素１６
４は、ポータブル電子デバイス１０２のそれぞれのコーナーに位置され、一実施形態では
、バイアス要素１６４は、ポータブル電子デバイス１０２をガラスパネル１１４に対して
位置合わせするように形成され配置される。支持面１６６およびバイアス要素１６４の特
定の形状および構成は、１つまたは複数の対応する形状のポータブル電子デバイス１０２
との適切な位置合わせをもたらすように調整することができる。
【００３４】
バイアス機構１６２は、任意の適切な数のバイアス要素１６４を含むことができること
が理解されるであろう。非限定的な例として、単一のバイアス要素１６４を設けることが
できる。一実施形態では、バイアス機構１６２は、発泡体またはゴムなどの弾性材料を含
む。しかしながら、当業者は、バイアス機構１６２が多数の異なる方法で実現され、多数
の異なる構成要素および／または材料から製造され得ることを理解するであろう。非限定
的な例として、バイアス要素１６４は、ベース１１０に直接固定された１つまたは複数の
交換可能なフォームパッド、ばね、またはポータブル電子デバイス１０２をガラスパネル
１１４に向けて付勢するように構成された他のアクチュエータとして実施され得る。図３
７に示すように、１つまたは複数のバイアス要素１６４は、中間デバイスアダプタ１６８
に動作可能に取り付けることができ、これは次に、滅菌可能なエンクロージャ１００が閉
位置１００Ａにロックされているときに、ガラスパネル１１４をタッチスクリーンインタ
ーフェース１０４に当接させるように付勢すると同時に、ポータブル電子デバイス１０２
の異なるタイプまたはモデルを受け入れ、滅菌可能なエンクロージャ１００内に位置合わ
せするようにベース１１０と協働するように構成することができる。
【００３５】
いくつかの実施形態では、タッチスクリーンインターフェース１０４は、ガラスパネル
１１４から間隔を置いて配置されてもよいが、タッチスクリーンインターフェース１０４
がガラスパネル１１４のたわみによって動作可能であることが保証されるように、ガラス
パネル１１４から所定距離未満の間隔を置いて配置されて静電結合が行われるようにする
ことができる。
【００３６】
上述したように、図１〜図２０Ｃに示すバイアス機構１６２の代表的な実施形態では、
ポータブル電子デバイス１０２のそれぞれのコーナーに配置された４つのバイアス要素１
６４は、ポータブル電子デバイス１０２をガラスパネル１１４に対して位置合わせするの
を補助する。さらに、この目的のために、一実施形態では、ベース１１０およびフレーム
１０６の少なくとも１つは、ポータブル電子デバイス１０２を滅菌可能なエンクロージャ
１００に対して位置合わせするための全体的に１７０で示されたトレイを含む。トレイ１
７０によってもたらされる位置合わせは、滅菌可能なエンクロージャ１００への設置中に
過剰な位置操作を必要とすることなくガラスパネル１１４に対するポータブル電子デバイ
ス１０２の適切な向きを保証し、それにより、滅菌可能なエンクロージャ１００および／
またはポータブル電子デバイス１０２の取り扱いを少なくすることによって滅菌プロトコ
ルへの適合を容易にすることに寄与する。図１〜図２０Ｃに示される滅菌可能なエンクロ
ージャ１００の実施形態において、トレイ１７０は、バイアス機構１６２の４つのバイア
ス要素１６４によって実現される。
【００３７】
トレイ１７０によってもたらされる位置合わせは、特定の実施形態では、バイアス機構
１６２によって与えられるバイアスとは独立して提供され得ることが理解されるであろう
。一例として、図２６および図２７に示される滅菌可能なエンクロージャ１００の実施形
態は、ベース１１０と一体的に形成されたトレイ１７０を含む。ここでは、バイアスは、
トレイ１７０とは独立して、中間デバイスアダプタ１６８（図３７参照）に動作可能に取
り付けられているか、またはベース１１０（図示せず）に取り付けられている１つまたは
複数のバイアス要素１６４などによってもたらされる。さらに、この実施形態では、トレ
イ１７０は、ベース１１０の支持面１６６と、支持面１６６から延びる４つのコーナーブ
レース１７２とによって実現される。支持面１６６およびコーナーブレース１７２の具体
的な形状および構成は、１つまたは複数の対応する形状のポータブル電子デバイス１０２
との適切な位置合わせを行うように調整することができる。
【００３８】
一実施形態では、滅菌可能なエンクロージャ１００は、開位置１００Ｂにある間に滅菌
可能なエンクロージャ１００からポータブル電子デバイス１０２を適切に取り外すのを助
けるように配置された全体的に１７４で示された少なくとも１つのレリーフをさらに含み
、レリーフ１７４は、固定されていないポータブル電子デバイス１０２の取り扱いのさら
なる最小化に寄与する。レリーフ１７４は、対のバイアス要素１６４（図４参照）の間ま
たは対のコーナーブレース１７２（図２７参照）の間に伸びる支持面１６６に隣接する領
域など、滅菌可能なエンクロージャ１００の特定の構成に依存して、いくつかの異なる方
法で画定され得ることが理解されるであろう。レリーフ１７４は、ユーザの指の寸法に対
応するようなサイズにすることができる。
【００３９】
図１９に示すように、滅菌可能なエンクロージャ１００は、いわゆるｉＰａｄ（登録商
標）の「スマートカバー」磁石（図示されていないが一般的に関連技術で知られている）
のようなポータブル電子デバイスの対応する磁石または鉄製物体と協働して、設置中に滅
菌可能なエンクロージャ１００に対するポータブル電子デバイス１０２の位置合わせをさ
らに促進するための全体的に１７６で示された少なくとも１つの磁石を含むことができる
。一対の磁石１７６が、ファスナ（図示せず）などによってベース１１０の支持面１６６
に結合されているように図１９に描かれているが、１つまたは複数の磁石１７６は、滅菌
可能なエンクロージャ１００の任意の適切な部分に動作可能に取り付けられてもよいし、
または完全に省略することもできる。さらに、ベース１１０および／またはフレーム１０
６は、滅菌可能なエンクロージャ１００を外部磁気支持台またはマウント（図示せず）に
取り付けるための追加の磁石および／または鉄板１７８（図１９に概略的に示す）を含み
得ることが理解されるであろう。磁石１７６および／または鉄板１７８は、図１９に示さ
れた実施形態に具体的に示されているが、当業者であれば、本明細書に説明および図示さ
れた他の実施形態も磁石１７６および／または鉄板１７８を同様に組み込み得ることを理
解するであろう。
【００４０】
上述したように、滅菌可能なエンクロージャ１００のガラスパネル１１４は、閉位置１
００Ａにロックされると、ポータブル電子デバイス１０２のタッチスクリーンインターフ
ェース１０４に当接するように構成される。一実施形態では、ガラスパネル１１４は、Ｃ
ｏｒｎｉｎｇ（登録商標）Ｇｏｒｉｌｌａ（登録商標）ガラスのような化学的に強化され
たアルミノシリケート材料から製造され、従来のソーダ石灰ガラスと比較して耐久性が向
上する。ガラスパネル１１４は、任意の適切なタイプのガラスを含み得る。他の実施形態
では、ガラスパネル１１４または他のタイプの透明パネルは、透明パネルが３分間摂氏１
３４度の温度または１５分間摂氏１２１度の温度にさらされるオートクレーブでの繰り返
し蒸気滅菌に耐えることができる他の材料で形成することができる。これらの材料はまた
、一般に使用される殺菌剤に対する耐性のために区別して選択される。
【００４１】
図面全体にわたって図示された代表的な実施形態では、ガラスパネル１１４は、上述し
たように、フレーム１０６に取り外し可能に固定されている。しかしながら、ガラスパネ
ル１１４は、ロック機構１１２を介して、かつ別個のフレーム１０６なしでベース１１０
に選択的に固定することができ、または接着剤などでフレーム１０６に取り付けることが
できる。
【００４２】
図４および図１５を参照すると、一実施形態では、滅菌可能なエンクロージャ１００は
、フレーム１０６に取り外し可能に取り付けられ、フレーム１０６と協働してギャップ１
８２を画定してガラスパネル１１４をそこに取り外し可能に固定するための全体的に１８
０で示されたリテーナをさらに含む。図１５に最もよく示されるように、フレーム１０６
は、ガラスパネル１１４を少なくとも部分的に支持する上部棚１８６および下部棚１８８
を画定する、窓１０８に隣接して配置された段付き棚部１８４を有する。ここで、閉じた
位置１００Ａにあるときにフレーム１０６の下部棚１８８がタッチスクリーンインターフ
ェース１０４を覆い隠すことなくポータブル電子デバイス１０２の周辺に隣接してガラス
パネル１１４を支持するように、下部棚１８８は窓１０８内に延び、ポータブル電子デバ
イス１０２に相補的に形成される。この構成は、バイアス機構１６２を介した容量結合の
効果を補助すると同時に、ガラスパネル１１４を、ポータブル電子デバイス１０２の外周
に沿って、任意追加によりポータブル電子デバイスのフレーム部材と位置合わせして、フ
レーム１０６の下部棚１１８とポータブル電子デバイス１０２との間に装填するのを促進
するのを補助することが理解されるであろう。この構成は、ガラスパネル１１４の中心ま
たはタッチスクリーンインターフェース１０４の中心を曲げたりたわませたりすることな
く、ガラスパネル１１４にわたって力をより均一に分配するのを補助し、さもなければ、
使用中のタッチスクリーンインターフェース１０４の感度および動作に有害であり得るギ
ャップをガラスパネル１１４とタッチスクリーンインターフェース１０４との間に生じさ
せる可能性がある。
【００４３】
上述したように、ガラスパネル１１４がタッチスクリーンインターフェース１０４に適
切に接触して係合して容量結合を行うことを可能にする。
【００４４】
引き続き図４および図１５を参照すると、リテーナ１８０は、ファスナ１３４を用いて
フレーム１０６の段付き棚部１８４の上部棚１８６に取り外し可能に固定される。図１５
に最もよく示されるように、リテーナ１８０は、ガラスパネル１１４を少なくとも部分的
に支持するためにフレーム１０６の上部棚１８６と圧縮面１９２とを当接させるためのイ
ンターフェース面１９０を規定する。滅菌可能なエンクロージャ１００は、ガラスパネル
１１４を固定するために任意の適切な数のリテーナ１８０を使用し得ることが理解される
であろう。図４に示す代表的な実施形態では、滅菌可能なエンクロージャ１００は、フレ
ーム１０６の窓１０８の周りに間隔を置いて取り付けられた４つのリテーナ１８０を使用
する。リテーナ１８０およびフレーム１０６が協働してガラスパネル１１４の交換または
点検を容易にすることは理解されるであろう。しかしながら、ガラスパネル１１４は、上
述したようなオートクレーブでの繰り返し蒸気滅菌に耐えることができる接着剤を用いる
などの他の方法でフレーム１０６に動作可能に取り付けることができる。
【００４５】
ここで図１５を参照すると、一実施形態では、ガラスパネル１１４は、第１の厚さ１９
４を有し、ギャップ１８２は、第１の厚さ１９４より大きい第１の距離１９６を画定する
。図１５では、第１の厚さ１９４および第１の距離１９６は、殺菌可能なエンクロージャ
１００に隣接して位置するそれぞれのファントム線によって示されている。フレーム１０
６の下部棚１８８は、圧縮面１９２から第１の距離１９６を空けて配置されている。一実
施形態では、滅菌可能なエンクロージャ１００は、ガラスパネル１１４と、下部棚１８８
および圧縮面１９２の少なくとも一方と当接する少なくとも１つのガスケット１９８をさ
らに含む。本明細書に示す代表的な実施形態では、２つのガスケット１９８が設けられて
おり、１つはガラスパネル１１４と圧縮面１９２との間に配置され、１つはガラスパネル
１１４と下部棚１８８との間に配置される。ガラスパネル１１４と圧縮面１９２との間に
配置されたガスケット１９８は、圧縮面１９２の全体にわたってガラスパネル１１４の外
縁から延びているが、他の実施形態では圧縮面１９２にわたって部分的にのみ延びてもよ
い。下部棚１８８とガラスパネル１１４との間に配置されたガスケット１９８は、ガラス
パネル１１４の外縁から下部棚１８８の内縁まで延びているが、他の実施形態では下部棚
１８８の内縁の手前で終端してもよい。
【００４６】
各ガスケット１９８は、リテーナ１８０をフレーム１０６に取り付ける前に測定された
第２の厚さ２００を有し、ガラスパネル１１４の第１の厚さ１９４とガスケット１９８の
第２の厚さ２００との合計は、ギャップ１８２の第１の距離１９６よりも大きい。したが
って、ガスケット１９８は、リテーナ１８０の取り付け中にガラスパネル１１４を圧縮す
る。この構成は、フレーム１０６の組立て中にさもなければガラスパネル１１４を破砕す
る可能性のあるリテーナ１８０の過度の締め付けを防止するために、ガラスパネル１１４
への均等な負荷をさらに促進し、リテーナ１８０を上部棚１８６に対して「ボトムアウト
」することが理解されるであろう。
【００４７】
いくつかの実施形態では、ポータブル電子デバイス１０２が閉位置１００Ａで滅菌可能
なエンクロージャ１００内に固定されているとき、フレーム１０６の下部棚１８８は、下
部棚１８８がポータブル電子デバイス１０２を滅菌可能なエンクロージャ１００内に保持
するのを補助するように、ポータブル電子デバイス１０２の外周縁を覆って延びる。
【００４８】
ガラスパネル１１４の厚さ１９４は、特定の用途の要件に応じて、異なるサイズおよび
／またはタイプのポータブル電子デバイス１０２に対応するように調整することができる
ことが理解されるであろう。さらに、ガラスパネル１１４の厚さ１９４の増加に伴って増
加するガラスパネル１１４の強度と、ガラスパネル１１４の厚さ１９４の増加に伴って減
少するタッチスクリーンインターフェース１０４への入力の一貫した変換との間の実質的
なバランスを取る必要があることが理解されるであろう。さらに、ガラスパネル１１４の
厚さ１９４は、ポータブル電子デバイス１０２の特定のサイズおよびタイプのタッチスク
リーンインターフェース１０４の表面積の変化に対応するように調整することができるこ
とが理解されるであろう。一実施形態では、ガラスパネル１１４は、０．１ｍｍから１．
９ｍｍの間の厚さ１９４を有し、従来のポータブル電子デバイス１０２のタッチスクリー
ンインターフェース１０４への入力の変換を容易にし、特定の用途において０．７５ｍｍ
から１．２５ｍｍの間の厚さ１９４が有利であり、特定の用途において０．３３ｍｍから
１．５ｍｍの間の厚さ１９４が許容可能である。
【００４９】
ここで、図１〜図５および図１４Ａ〜図１４Ｃを参照すると、上述のように、ポータブ
ル電子デバイス１０２は、ポータブル電子デバイス１０２の追加の選択的制御を容易にす
るために（図５参照）、タッチスクリーンインターフェース１０４に隣接する入力制御部
１２０を含むことができる。一実施形態では、滅菌可能なエンクロージャ１００のガラス
パネル１１４は、閉位置１００Ａにおいてポータブル電子デバイス１０２の入力制御部１
２０に隣接して配置されたスルーホール２０２（図１４Ａ〜図１４Ｃ参照）を含む。ここ
で、滅菌可能なエンクロージャ１００は、さらに、スルーホール２０２に隣接するガラス
パネル１１４に係合して、固定されたポータブル電子デバイス１０２の入力制御部１２０
への力を選択的に変換する全体的に２０４で示されたボタンを含む。より具体的には、ボ
タン２０４は、ボタン２０４に加えられる力が固定されたポータブル電子デバイス１０２
の入力制御部１２０に変換されるように移動可能である。特定の実施形態では、ボタン２
０４は、容量性材料を含むことができる。
【００５０】
一実施形態では、滅菌可能なエンクロージャ１００のフレーム１０６は、窓１０８内に
延在し、スルーホール２０２に隣接するガラスパネル１１４に対してボタン２０４を少な
くとも部分的に支持する全体的に２０６で示されたブレースを含む（図１参照）。ブレー
ス２０６は、フレーム１０６内にガラスパネル１１４を支持するのを補助することもでき
ることが理解されるであろう。さらに、ガスケット１９８は、ブレース２０６に相補的に
形成され得ることが理解されるであろう（この実施形態では詳細には図示されていない）
。図１〜図４に示すボタン２０４の実施形態では、図１４Ａに示すように、ボタンリップ
２０８には、ブレース２０６および／またはガラスパネル１１４に対して圧縮するために
そこから延びる少なくとも１つのリブ２１０が設けられている。ここで、ボタンリップ２
０８は、ブレース２０６およびガラスパネル１１４の両方に対して圧縮するためのリブ２
１０を含む（図１４Ａ参照）。図１４Ｂおよび図１４Ｃに示すボタン２０４の実施形態で
は、ブレース２０６はフレーム１０６から省略され、ボタン２０４は、ボタン２０４をガ
ラスパネル１１４に対して少なくとも部分的に支持するフランジ２１２を含む（図１４Ｂ
および１４Ｃ参照）。ここで、ガラスパネル１１４のスルーホール２０２は、ボタン２０
４のフランジ２１２と相補的に形成され、ボタン２０４のフランジ２１２と少なくとも部
分的に当接するテーパエッジ２１４を含むことができる。ボタン２０４は、閉位置１００
Ａにあるときに、固定されたポータブル電子デバイス１０２の入力制御部１２０に隣接し
てそこに支持されるガラスインサート２１６（図１４Ｂ参照）のような透明インサートを
さらに含むことができる。ガラスインサート２１６は、少なくとも部分的に透明であり、
いわゆる「指紋読み取り装置」または「タッチ識別センサ」のような入力制御装置１２０
に隣接するか、あるいはこれに一体化されたポータブル電子デバイス１０２の１つまたは
複数のセンサに光を透過するように構成される。上述したように、ボタン２０４の１つま
たは複数の部分は、容量性材料を含むことができる。
【００５１】
同様に、図１〜図４に示すように、一実施形態では、ベース１１０およびフレーム１０
６の一方は、開口２１８を画定することができ、開口２１８は、固定されたポータブル電
子デバイス１０２のカメラへの光の伝送を容易にするために、開口２１８に支持された透
明インサート２２２と共に、カメラ２２０（図２９を参照、詳細には示されていないが、
関連する技術分野で一般的に知られている）に隣接して、固定されたポータブル電子デバ
イス１０２の背面に配置することができる。インサート２２２は、ガラス、サファイア、
石英、プラスチックなどの光を透過するのに十分な材料から作成され得る。ここで、滅菌
可能なエンクロージャ１００のベース１１０は、インサート２２２を支持する開口２１８
を画定し、開口２１８およびインサート２２２の両方はそれぞれ、動作時にインサート２
２２をベース１１０に固定された状態に保つのを助ける円錐台形状を有する（詳細には示
されない）。インサート２２２は、圧入、接着剤、ファスナ、または他の適切な方法によ
ってベース１１０に固定することができる。他の実施形態では、開口は、円筒状のインサ
ートを受け入れるための座ぐり形状を有することができる。開口２１８およびインサート
２２２の他の形状、配置、および構成も考えられる。
【００５２】
上述したように、一実施形態では、ロック機構１１２のロック構成１１２Ａへの移動は
、ガラスパネル１１４をポータブル電子デバイス１０２のタッチスクリーンインターフェ
ース１０４に当接させるように促し、同時に滅菌可能なエンクロージャ１００を閉位置１
００Ａにロックする。しかしながら、滅菌可能なエンクロージャ１００は、ロック機構１
１２の動きとは無関係に、ガラスパネル１１４をポータブル電子デバイス１０２のタッチ
スクリーンインターフェース１０４に当接させるように促すことができる。非限定的な例
として、図４１〜図４３に図示された実施形態に示すように、フレーム１０６は、滅菌可
能なエンクロージャ１００が閉位置１００Ａまたは開位置１００Ｂのいずれかの状態にあ
るときに、ガラスパネル１１４をタッチスクリーンインターフェース１０４に当接させる
ように促す全体的に２２４で示された少なくとも１つの事前組立て機構を含むことができ
る（図４１〜図４３は、分かりやすくするためにベース１１０を省略して示されている）
。さらに、事前組立て機構２２４は、ロック機構１１２および／またはバイアス機構１６
２と協働して、上述したように、ガラスパネル１１４とタッチスクリーンインターフェー
ス１０４との間の適切な当接を確実にすることができる。この目的のために、事前組立て
機構２２４は、ベース１１０とは独立してポータブル電子デバイス１０２をフレーム１０
６に固定する１つまたは複数のアーム２２６を含むことができる。アーム２２６は、ポー
タブル電子デバイス１０２と係合するように回転可能に作動させることができ（図４１お
よび４２参照）、全体的に２２８で示されるリンケージシステムで作動させることができ
（図４３参照）、あるいは任意の適切な方法で作動させることができる。
【００５３】
再び図１〜図２０Ｃを参照すると、上述のように、滅菌可能なエンクロージャ１００は
、滅菌可能なエンクロージャ１００が閉位置１００Ａにロックされているときに、固定さ
れたポータブル電子デバイス１０２へのおよびそこからの汚染物の進入および退出を防止
するように、ベース１１０とフレーム１０６との間に係合するためにシール１１６を使用
する。図５、図１３、図１５および図１６に最もよく示されているように、一実施形態で
は、ベース１１０およびフレーム１０６の少なくとも１つは、シール１１６を少なくとも
部分的に受け入れるための全体的に２３０で示されたチャネルを含む。本明細書に示す代
表的な実施形態では、チャネル２３０は、滅菌可能なエンクロージャ１００のベース１１
０内に画定され、概して矩形の輪郭を有し、シール１１６に相補的に形成される。
【００５４】
一実施形態では、ベース１１０およびフレーム１０６の少なくとも１つは、滅菌可能な
エンクロージャ１００が閉位置１００Ａにあるときにシール１１６と係合するように形成
された全体的に２３２で示された係合要素を含む。本明細書で説明する代表的な実施形態
において、係合要素２３２は、フレーム１０６と一体に形成され、概して矩形の輪郭を有
し、シール１１６に相補的に形成される。シール１１６、チャネル２３０、および係合要
素２３２の形状、構成、および配置は、滅菌可能なエンクロージャ１００が閉位置１００
Ａにロックされるとき、外部環境からシール１１６に向かう曲がりくねった経路を有利に
画定する。曲がりくねった経路は、ポータブル電子デバイス１０２の汚染防止および／ま
たは操作室の汚染防止の機会を増加することに寄与し、それによって病原体、汚染物など
がシール１１６および外部環境へ横断する、および／またはシール１１６および外部環境
から横断するのを難しくする。それにもかかわらず、後続の以下の説明から理解されるよ
うに、チャネル２３０および／または係合要素２３２は、上述したように、シール１１６
と係合するのに十分な任意の適切な輪郭、形状または構成を有することができる。非限定
的な例として、係合要素２３２は、シール１１６と係合するように配置された１つまたは
複数の面によって画定され得る。さらに、チャネル２３０がベース１１０に形成され、係
合要素２３２がフレーム１０６に動作可能に取り付けられるように示されているが、この
配置を入れ替えることができることが理解されるであろう。
【００５５】
代表的な実施形態では、シール１１６は、図１５〜図１７Ｂに示されるように、単一の
一体エンドレス構成要素として有利に実現され、ほぼ楕円形の断面輪郭を有することがで
きる。ガスケット１１６には、（詳細には図示されていない）離間したリブのようなガス
ケット１１６の保持を促進する構造的特徴が設けられてもよい。シール１１６は、図２７
に示されるような環状の輪郭のような他の輪郭、または図２８〜図３６に示される実施形
態に関連してより詳細に後述される他の輪郭を有することができることが理解されるであ
ろう。一実施形態では、シール１１６はシリコンゴムで形成される。シール１１６は、シ
ール１１６が摂氏１３４度の温度に３分間さらされるか、または摂氏１２１度の温度に１
５分間さらされるオートクレーブにおける反復蒸気滅菌に耐えることができる。一実施形
態では、シール１１６は、摂氏１３０度を超える、例えば摂氏１５０度の融点の材料を含
む。シール１１６は、医療機器のための全ての既知の汚染除去方法に耐えるように、また
は特定の汚染除去方法のみに耐えるように構成されてもよい。シール１１６は、任意の適
切な数の構成要素によって配置され、構成され、または実現されてもよく、任意の適切な
材料によって製造されてもよく、滅菌された医療／手術環境における汚染物の進入および
退出を防止するのに十分な任意の適切な輪郭および／または形状を有することができる。
同様に、シール１１６は、滅菌可能なエンクロージャ１００の特定の設計および構成に応
じて、所定の時間および／または使用後に交換または整備されるように構成され得ること
が理解されるであろう。
【００５６】
ここで図２３〜図２５を参照すると、一実施形態では、シール１１６および係合要素２
３２のそれぞれが、タッチゾーン２３４とノータッチゾーン２３６との間の境界を画定す
る。後続の以下の説明から理解されるように、タッチゾーン２３４およびノータッチゾー
ン２３６は、ポータブル電子デバイス１０２の装填中ならびにポータブル電子デバイス１
０２の取り外し中に滅菌可能なエンクロージャ１００の適切な取り扱いを促進するように
設けられている。ここで、タッチゾーン２３４は、ベース２３８Ｂの第１の部分およびフ
レーム２３８Ｆの第１の部分を含み、ノータッチゾーン２３６は、ベース２４０Ｂの第２
の部分およびフレーム２４０Ｆの第２の部分を含む。図２３および図２４に示される代表
的な実施形態では、明瞭性、一貫性および例示の目的で、タッチゾーン２３４は、反復す
る六角形のパターン（図２４参照）として示され、ノータッチゾーン２３６は、反復する
矩形のパターン（図２３および図２４を参照）として示される。より具体的には、ベース
２３８Ｂの第１の部分およびフレーム２３８Ｆの第１の部分は、それぞれ、反復する六角
形のパターンで示され、フレーム２３８Ｆの第１の部分の反復する六角形のパターンがベ
ース２３８Ｂの第１の部分の反復する六角形のパターンに対して４５度回転している点で
区別される（図２４参照）。同様に、ベース２４０Ｂの第２の部分およびフレーム２４０
Ｆの第２の部分は、それぞれ、反復する矩形のパターンで示されており、フレーム２４０
Ｆの第２の部分の反復する矩形のパターンがベース２４０Ｂの第２の部分の反復する矩形
のパターンに対して４５度回転している点で区別される（図２３および図２４を参照）。
【００５７】
この実施形態では、滅菌可能なエンクロージャ１００は、全体的に２４２で示された視
覚的表示（図２５参照）をさらに含み、これは、滅菌可能なエンクロージャ１００のベー
ス１１０およびフレーム１０６の第１の部分２３８Ｂ、２３８Ｆ内でのみ接触を促進する
ように、タッチゾーン２３４の第１の部分２３８Ｂ、２３８Ｆをノータッチゾーン２３６
の第２の部分２４０Ｂ、２４０Ｆと区別するように構成される。
【００５８】
上述したように、滅菌可能なエンクロージャ１００は、非滅菌と考えられるポータブル
電子デバイス１０２が、滅菌可能なエンクロージャ１００のノータッチゾーン２３６の無
菌性が損なわれないような方法で滅菌可能なエンクロージャ１００内に固定可能に構成さ
れ、これにより固定されたポータブル電子デバイス１０２を滅菌環境および／または無菌
環境で引き続き使用することを可能にする。さらに、以下で詳細に説明するように、滅菌
可能なエンクロージャ１００は、滅菌可能なエンクロージャ１００が汚染された環境で使
用された後に、ポータブル電子デバイス１０２、またはポータブル電子デバイス１０２を
取り扱うユーザを汚染物に曝すことなく、固定されたポータブル電子デバイス１０２を滅
菌可能なエンクロージャ１００から取り外すことができるようにさらに構成されている。
これらの目的のために、また説明のために、滅菌可能なエンクロージャ１００が使用され
る場合、以下でより詳細に説明するように、タッチゾーン２３４およびノータッチゾーン
２３６の第１の部分２３８Ｂ、２３８Ｆおよび第２の部分２４０Ｂ、２４０Ｆの両方のそ
れぞれが微生物の所望のレベルの無菌性保証または対数減少を有することを保証するため
に、滅菌または他のタイプの除染が使用される。次に、常に滅菌されていないと考えられ
るポータブル電子デバイス１０２は、滅菌可能なエンクロージャ１００が完全な開位置１
００Ｂになっている状態でタッチゾーン２３４内に置かれる（図２４を参照、図５も参照
）。ここで、以下により詳細に記載されるように、表示２４２は、非滅菌のユーザがタッ
チゾーン２３４内にのみ触れるように、逆にノータッチゾーン２３６に触れないようにす
るために有利に設けられる。次に、滅菌可能なエンクロージャ１００を閉位置１００Ａに
移し、ポータブル電子デバイス１０２をタッチゾーン２３４内に固定することができる。
ここで、滅菌可能なエンクロージャ１００が最初に閉位置１００Ａにロックされると（図
８参照）、滅菌可能なエンクロージャ１００のノータッチゾーン２３６は、その後の使用
でノータッチゾーン２３６が汚染物に潜在的に露出されるまで滅菌状態のままである。そ
れでも、シール１１６および／または上記の曲がりくねった経路を介して汚染物がタッチ
ゾーン２３４から離れ、タッチゾーン２４６に入ることの両方が防止される。
【００５９】
逆に、外部環境に暴露されるノータッチゾーン２３６の部分は、手術室などにおいて滅
菌可能なエンクロージャ１００の使用中に、微生物、病原体、血液、組織などのような汚
染物に曝される可能性がある。しかしながら、上述したように、閉位置１００Ａにロック
されたときのシール１１６の係合は、これらの汚染物が固定されたポータブル電子デバイ
ス１０２に到達するのを防止する。ユーザが固定されたポータブル電子デバイス１０２を
取り外そうとするとき、滅菌可能なエンクロージャ１００を汚染除去することができ、そ
の後、滅菌可能なエンクロージャ１００を開位置１００Ｂに移すことができる（図６参照
）。この場合にも、表示２４２は、ポータブル電子デバイス１０２の取り外し中にタッチ
ゾーン２３４内にのみ触れるようにユーザに指示するために有利に設けられる。したがっ
て、潜在的に汚染されたノータッチゾーン２３６との接触を回避することによって、手術
室に存在する可能性のある汚染物への暴露からポータブル電子デバイス１０２を汚染する
ことなく、ポータブル電子デバイス１０２を滅菌可能なエンクロージャ１００から取り外
すことができる。
【００６０】
図６に最もよく示されているように、この実施形態では、上述したようなバイアス機構
１６２のバイアス要素１６４によって画定されたトレイ１７０は、有利には、シール１１
６から所定の距離だけ内側に離間している。この構成は、（図６と図２４とを比較して）
タッチゾーン２３４内に取り扱い空間を設けることにより無菌プロトコルに適合すること
を容易にし、ポータブル電子デバイス１０２の設置および取り外しの両方の間に、ノータ
ッチゾーン２３６内の不注意な接触を防止するのに役立つことが理解されるであろう。シ
ール１１６とトレイ１７０との間の所定の距離は実質的に等距離であるが、特定の実施形
態では、異なる構成を利用することができることが理解されるであろう。例えば、左右の
辺は、指の取り扱い空間を提供するように間隔を空けて配置してもよいが、上下の辺は、
左右の辺の間隔よりも小さいような異なる間隔で配置することができる。
【００６１】
図２３〜図２５を続けて参照すると、一実施形態では、表示２４２は、タッチゾーン２
３４を画定するベース１１０およびフレーム１０６の第１の部分２３８Ｂ、２３８Ｆの少
なくとも１つに配置される。別の言い方をすれば、第１の部分２３８Ｂ、２３８Ｆの一方
または両方に表示２４２を設けることができる。図２４に示される代表的な実施形態では
、ベース１１０の第１の部分２３８Ｂには、「シール内のタッチのみ」というテキスト、
テキストを囲むボックス、およびボックスからシール１１６に延びる矢印を含む表示２４
２が設けられる。
【００６２】
図２５に示す概略図では、第１の表示２４２Ａは、ノータッチゾーン２３６を画定する
ベース１１０およびフレーム１０６の第２の部分２４０Ｂ、２４０Ｆの少なくとも１つに
配置され、第２の表示２４２Ｂは、タッチゾーン２３４を画定するベース１１０およびフ
レーム１０６の第１の部分２３８Ｂ、２３８Ｆの少なくとも１つに配置される。言い換え
れば、第２の部分２４０Ｂ、２４０Ｆの一方または両方に、同じまたは異なるタイプの第
１の表示２４２Ａを設けることができ、第１の部分２３８Ｂ、２３８Ｆの一方または両方
に、同じまたは異なるタイプの第２の表示２４２Ｂを設けることができる。ノータッチゾ
ーン２３６内に設けられた第１の表示２４２Ａは、ノータッチゾーン２３６内の接触を防
ぐように構成され、ノータッチゾーン２３６をタッチゾーン２３４と区別するように構成
することができる。タッチゾーン２３４内に設けられた第２の表示２４２Ｂは、タッチゾ
ーン２３４内の接触を促すように構成され、タッチゾーン２３４をノータッチゾーン２３
６と区別するように構成することができる。一実施形態では、ノンタッチゾーン２３６内
のベース１１０および／またはフレーム１０６の第２の部分２４０Ｂ、２４０Ｆに配置さ
れる第１の表示２４２Ａは、第１の色（例えば赤色）であり、タッチゾーン２３４内のベ
ース１１０および／またはフレーム１０６の第１の部分２３８Ｂ、２３８Ｆに配置される
第２の表示２４２Ｂは、第２の色（例えば、緑色）である。
【００６３】
表示２４２は、多数の異なる方法および多数の異なる構成で提供され得ることが理解さ
れるであろう。非限定的な例として、表示２４２は、タッチゾーン２３４内のベース１１
０の第１の部分２３８Ｂ内にのみ適用される着色によって実現することができる。同様に
、表示２４２は、ステッカー、ラベルなどで実現することができる。さらに、表示２４２
は、テクスチャ、コーティング、塗料などとして実現することができる。さらに、表示２
４２は、タッチゾーン２３４またはノータッチゾーン２３６内に存在する滅菌可能なエン
クロージャの特定の部分を照らす１つまたは複数の電子デバイスを備えることができる。
表示２４２は、ユーザによって視覚的に検出可能である任意のモダリティを含み得ること
を理解すべきである。
【００６４】
一実施形態では、シール１１６の内周２４４は、タッチゾーン２３４とノータッチゾー
ン２３６との間の境界を画定する。しかしながら、当業者であれば、特定の実施形態にお
いてタッチゾーン２３４をノータッチゾーン２３６と区別するためにシール１２２以外の
構成要素、構造などを使用することができることを理解するであろう。一実施形態によれ
ば、タッチゾーン２３４は、フレーム１０６に関連するフレームタッチ表面領域２４６と
、ベース１１０に関連するベースタッチ表面領域２４８とを含み、ノータッチゾーン２３
６は、フレーム１０６に関連するフレームノータッチ表面領域２５０と、ベース１１０に
関連するノータッチ表面領域２５２とを含む。ここで、フレームタッチ表面領域２４６お
よびベースタッチ表面領域２４８は、滅菌可能なエンクロージャ１００が閉位置１００Ａ
にロックされているときにシール１１６によって外部環境から隔離される滅菌可能なエン
クロージャ１００の構成要素のそれぞれの表面によって画定され、フレームノータッチ表
面領域２５０およびベースノータッチ表面領域２５２は、フレームタッチ表面領域２４６
またはベースタッチ表面領域２４８の一部を形成しない滅菌可能なエンクロージャ１００
の構成要素のそれぞれの表面によって画定される。ここで、滅菌可能なエンクロージャ１
００が閉位置１００Ａにロックされたときに、フレームタッチ表面領域２４６およびベー
スタッチ表面領域２４８は、固定されたポータブル電子デバイス１０２が収容される密閉
容積２５４を画定する。
【００６５】
動作中、一実施形態では、ポータブル電子デバイス１０２は、外科手術の間に滅菌野内
で使用するために準備される。最初に、蒸気オートクレーブまたは他の除染プロセスで予
め滅菌された滅菌可能なエンクロージャ１００が、ポータブル電子デバイス１０２を受け
入れるために滅菌領域に配置される。滅菌可能なエンクロージャ１００は、ポータブル電
子デバイス１０２がトレイ１７０内に配置されるだけでよいように、開位置１００Ｂに設
けられる。滅菌性を維持するために、ポータブル電子デバイス１０２（またはポータブル
電子デバイス１０２に触れる者）が、上述したように滅菌可能なエンクロージャ１００の
タッチゾーン２３４の外側の任意の表面に接触することができないように、これが行われ
る。いくつかの場合において、非滅菌の人員は、任意の滅菌された表面上の任意の非滅菌
物体を渡すまたは搬送することができないので、滅菌可能なエンクロージャ１００のシー
ル１１６の外側の領域の遮蔽または被覆が装填中に利用され得る。次に、滅菌可能なエン
クロージャ１００は閉位置１００Ａに移る。滅菌可能なエンクロージャ１００は、好まし
くは、ポータブル電子デバイス１０２のいかなる接触も必要とせずに閉じられる。したが
って、ポータブル電子デバイス１０２の汚染物は、滅菌可能なエンクロージャ１００の密
封容積２５４内に収容される。滅菌可能なエンクロージャ１００は、スクラビングされた
手術スタッフまたは他の人員のような、無菌性を維持するための処置を講じている人員に
よって閉じることができる。
【００６６】
ここで図２０Ａ〜図２２を参照すると、一実施形態では、フレーム１０６をベース１１
０から旋回させて離して滅菌可能なエンクロージャ１００を部分的な開位置１００Ｂに保
持しながら、滅菌可能なエンクロージャ１００の少なくとも一部を遮蔽するために移送装
置２５６が設けられる。図２１および図２２に最もよく示されているように、移送装置２
５６は、全体的に、一対の外壁２５８と、外壁２５８の間に延在して合流する上壁２６０
と、外壁２５８の間に延在して合流し、上壁２６０と間隔を空けて通路２６４を画定する
下壁２６２と、を含む。ハンドル２６６が下壁２６２に設けられる。以下により詳細に示
すように、一対の中空容器２６８は、ハンドル２６６に隣接して配置され、ロック機構１
１２のラッチ１４６を受け入れるように形成される。一対の傾斜部２７０は、外壁２５８
に設けられ、互いに向かって内向きに延びている。傾斜部２７０は、以下により詳細に説
明するように、滅菌可能なエンクロージャ１００のフレーム１０６に当接するように配置
されている。３つのカバー要素２７２が設けられ、そのうちの２つは傾斜部２７０の下方
に間隔を置いて外壁２５８から互いに向かって延びており、そのうちの１つはハンドル２
６６から離れる方向に下壁２６２から延びている。当業者は、本明細書において移送装置
２５６の他の構成が考えられることを理解するであろう。
【００６７】
使用時には、上述したように、滅菌可能なエンクロージャ１００を部分的な開位置１０
０Ｂに保持するために、移送装置２５６が設けられている。この目的のために、滅菌可能
なエンクロージャ１００は、ロック機構１１２のラッチ１４６が移送装置２５６のレセプ
タクル２６８の方に向くように、図２０Ａに示すように移送装置２５６に隣接して配置さ
れる。次に、移送装置２５６が滅菌可能なエンクロージャ１００を開位置１００Ｂに保持
するように、滅菌可能なエンクロージャ１００を移送装置２５６と接触させる。この目的
のために、傾斜部２７０は、フレーム１０６の上端および下端に当接し、上壁２６０の一
部はフレーム１０６の右端に当接し、下壁２６２の一部はベース１１０の右端を支持する
（図２０Ｂ参照、図２２も参照）。この構成では、カバー要素２７２および壁２５８、２
６０、２６２は協働して、滅菌可能なエンクロージャ１００の特定の部分へのアクセスを
覆い、遮蔽し、または他の方法で妨害する。特に、以下でより詳細に説明するように、通
路２６４の方を向いて見たときに、移送装置は、例えば非滅菌の人員などのユーザを滅菌
可能なエンクロージャ１００のノータッチゾーン２３６に有利に制限し接触を防止する。
滅菌可能なエンクロージャ１００が開位置１００Ｂに保持されると、ポータブル電子デバ
イス１０２は移送装置２５６の方に運ばれ、滅菌可能なエンクロージャ１００のトレイ１
７０に通路２６４を通して挿入される（図２０Ｃ参照）。ここで、カバー要素２７２は、
有利には、滅菌可能なエンクロージャ１００のベース１１０に対するポータブル電子デバ
イス１０２の位置合わせを促進するように角度付けされている。次に、ハンドル２６６を
把持して、移送装置２５６を滅菌可能なエンクロージャ１００から引き離すことができる
。移送装置２５６が滅菌可能なエンクロージャ１００から遠ざかるにつれて、傾斜部２７
０がフレーム１０６と接触しなくなり、滅菌可能なエンクロージャ１００が閉位置１００
Ａに向かって移るように、重力によってフレーム１０６がベース１１０に向かって移動す
る。
【００６８】
移送装置２５６は、上述したように、オートクレーブ滅菌に耐えることができる材料で
構成された単一の一体構成要素として有利に製造される。滅菌可能なエンクロージャ１０
０および移送装置２５６は、共通の容器などで一緒に滅菌することができる。ここで、移
送装置２５６は、滅菌可能なエンクロージャ１００を開位置１００Ｂに保持するので、そ
うでなければオートクレーブプロセス中に起こり得るような滅菌可能なエンクロージャ１
００の真空ロックが防止される。あるいは、滅菌可能なエンクロージャ１００および移送
装置２５６を別々に滅菌し、その後使用することができる。移送装置２５６は、滅菌され
た使い捨てのワンタイム使用品として設計されてもよいことが理解されるであろう。
【００６９】
一実施形態では、移送装置２５６を介して滅菌可能なエンクロージャ１００内にポータ
ブル電子デバイス１０２を固定することは、滅菌されたユーザおよび非滅菌のユーザの２
人のユーザによって達成される。ここで、滅菌されたユーザは、滅菌可能なエンクロージ
ャ１００のみを扱うことが有利であり、非滅菌のユーザは、移送装置２５６およびポータ
ブル電子デバイス１０２のみを取り扱うことが有利である。しかしながら、始めは、滅菌
されたユーザは、図２０Ｂに示す向きで移送装置２５６および滅菌可能なエンクロージャ
１００を位置決めするために必要とされるように、予め滅菌された移送装置２５６および
予め滅菌された滅菌可能なエンクロージャ１００の両方を取り扱うことができる。ここで
、移送装置２５６の形状および構成は、滅菌可能なエンクロージャ１００のベース１１０
およびフレーム１０６を保持するので、滅菌されたユーザが上述のタッチゾーン２３４（
図２４参照）にアクセスすることを禁止するのが有利である。特に、外壁２５８は、ベー
ス１１０とフレーム１０６とを把持するので、滅菌されたユーザがベース１１０とフレー
ム１０６との間に手を置くことを防止するように形成される。滅菌されたユーザが滅菌可
能なエンクロージャ１００を図２０Ｂに示す位置に保持したら、移送装置２５６が滅菌可
能なエンクロージャ１００に支持され、通路２６４が非滅菌のユーザの方を向き、非滅菌
のユーザはポータブル電子デバイス１０２を通路２６４に挿入することができる。ここで
、カバー要素２７２は、非滅菌のユーザの手が通路２６４に入る必要がないように、ポー
タブル電子デバイス１０２を定位置に案内するのを補助する。ポータブル電子デバイス１
０２がベース１１０に支持されたら、滅菌されたユーザが滅菌可能なエンクロージャ１０
０を支持し続けている間に非滅菌のユーザは移送装置２５６のハンドル２６６を把持する
ことができる。非滅菌のユーザがハンドル２６６を引っ張って移送装置２５６を滅菌可能
なエンクロージャ１００から離すと、上述のように、重力によって滅菌可能なエンクロー
ジャ１００は閉位置１００Ａに向かって移動する。次に、滅菌されたユーザは、滅菌可能
なエンクロージャ１００を閉位置１００Ａにロックして、上述のように容量結合を行って
シール１１６に係合することができる。
【００７０】
一実施形態では、滅菌可能なエンクロージャ１００は、滅菌格納装置ＡＮＳＩ／ＡＡＭ
Ｉ  ＳＴ７７の設計および性能基準を満たすことができる。本明細書で使用される「汚染
除去」という用語は、任意の量の微生物の除去または殺滅を意味するが、「滅菌」は、特
定の用途のための微生物の許容可能なレベルの駆除として経験的に決定された特定レベル
の汚染除去である。許容される滅菌プロセス条件の例は、微生物における３−ｌｏｇ減少
、微生物における６−ｌｏｇ減少、または微生物における１２−ｌｏｇ減少を含み得る。
「有効化された滅菌プロセス」は、過去の試験に基づいて、器具上の任意の微生物物質が
無害であることを本質的に保証する所望の滅菌レベルまで特定の器具を滅菌するものとし
て知られている滅菌プロセスであると理解される。非限定的な例として、手術器具は、器
具が微生物の６−ｌｏｇ減少に対応する所望の滅菌レベルを有する場合に、滅菌されたと
みなされることが多い。これは、機器上の微生物の個体数が少なくとも９９．９９９９％
減少する可能性があることを意味する。参照により本明細書に組み込まれる米国特許公開
第２０１５／０３７４８６８号は、有効な滅菌プロセスのための環境測定値を得る方法の
説明を提供する。
【００７１】
しかしながら、所望のレベルの滅菌は、特定の用途に必要な微生物のこれらの例示的な
低減よりも高くてもまたは低くてもよいことが理解されるであろう。さらに、この開示は
、ポータブル電子デバイス１０２を使用することが望まれ、医療用途または非医療用途の
部屋全体のような汚染除去が必要とされる広範な用途での使用に適応した滅菌可能なエン
クロージャ１００を対象としている。滅菌を必要とする非医療用途の非限定的な例は、救
急車、コンピュータの製造設備、航空機、および郵便局を含むことができる。
【００７２】
特定の実施形態では、滅菌可能なエンクロージャ１００の汚染除去は、蒸気オートクレ
ーブおよび他の厳しい滅菌方法よりも厳格ではない可能性がある。例えば、場合によって
は、洗剤を用いて手作業によって、自動洗濯機／消毒器、ハンドワイプ、アルコールワイ
プ、または他の形態の手作業による洗浄を用いて、滅菌可能なエンクロージャ１００を汚
染除去することができる。これらの他の形態の洗浄は、損傷の恐れがあるためポータブル
電子デバイスを直接掃除することを躊躇しているユーザにとって有用であり得る。これら
の場合、本明細書に記載の滅菌可能なエンクロージャ１００の実施形態は、ポータブル電
子デバイス１０２が洗浄前に滅菌可能なエンクロージャ１００内に安全に固定され、した
がって損傷なしにそのような洗浄方法に曝されることができるので、消毒を大幅に改善す
ることができる。
【００７３】
上述したように、本開示は、全体的に、少なくとも２つのタイプの滅菌可能なエンクロ
ージャ、すなわちベース１１０およびフレーム１０６が、図１〜図２０、図２３〜図２４
、および図２６〜図２７に示されるような１つまたは複数のヒンジ１１８を介して互いに
回動可能に取り付けられる第１のタイプ、および図２８〜図３６および図３９〜図４０に
示されるようなヒンジのない第２のタイプを対象としている。後続の以下の説明から理解
されるように、本明細書に記載され、図面全体にわたって図示される滅菌可能なエンクロ
ージャのそれぞれの様々な構成要素、構造的特徴、構成、配置などは、特定の用途のため
に入れ替えることができる。したがって、図２８〜図３６および図３９〜図４０に示され
た実施形態の以下の説明では、図１〜図２０、図２３〜図２４および図２６〜図２７に示
される実施形態の構造および構成要素と同じであるかまたは対応する構造および構成要素
は、２０００を加えた同じ参照符号によって提供される。
【００７４】
ここで図２８〜図３６および図３９〜図４０を参照すると、第２のタイプの滅菌可能な
エンクロージャ２１００の特定の実施形態が示されている。上述のように、第２のタイプ
の滅菌可能なエンクロージャ２１００は、上述の第１のタイプの滅菌可能なエンクロージ
ャ１００と実質的に同様であるが、ヒンジ１１８を欠いている。したがって、明瞭性およ
び一貫性の目的で、第２のタイプの滅菌可能なエンクロージャ２１００と第１のタイプの
滅菌可能なエンクロージャ１００との間の特定の相違のみについて以下に説明し、タイプ
間で共通の特定の構造的特徴および構成要素のみを本明細書で説明し、図面に示す。以下
に特に明記しない限り、上記の第１のタイプの滅菌可能なエンクロージャ１００の記載は
、第２のタイプの滅菌可能なエンクロージャ２１００に関して、限定することなく参照に
より組み込まれ得ることが理解されるであろう。
【００７５】
図２８〜図３６および図３９〜図４０を続けて参照すると、上記のように、滅菌可能な
エンクロージャ２１００は、これらの実施形態においてベース２１１０とフレーム２１０
６との間の旋回を省略し、全体的に２３００で示されるコーナーロック装置を使用して、
タッチスクリーンインターフェース１０４がガラスパネル２１１４に係合する状態で、閉
位置２１００Ａ（図２８、図２９、および図３２〜図３６参照）のベース２１１０とフレ
ーム２１０６との間に固定されたポータブル電子デバイス１０２を「挟んで」捕捉する。
コーナーロック装置２３００は、４つの別個のロック機構２１１２を含む。各ロック機構
２１１２は、全体的に２１４２で示される第１のロック要素（図３１、図３５および図３
６参照）および全体的に２１４４で示される第２のロック要素（図３０、図３５および図
３６参照）を含む。この実施形態では、第１のロック要素２１４２は、フレーム２１０６
によって回転可能に支持され、第２のロック要素２１４４は、ファスナ２１３４を用いる
などしてベース２１１０に動作可能に取り付けられる。しかしながら、当業者であれば、
この構成は特定の用途で入れ替え得ることを理解するであろう。
【００７６】
図３５に最もよく示されているように、この実施形態では、滅菌可能なエンクロージャ
２１００の第１のロック要素２１４２はそれぞれ、同時に回転するようにキャリア２３０
４に動作可能に取り付けられたツイストラッチ２３０２を含む。各ツイストラッチ２３０
２は、フレーム２１０６に形成されたブラインドボア２３０６内に収容されている。シー
ルワッシャ２３０８もブラインドボア２３０６内に支持されており、ツイストラッチ２３
０２の回転を可能にすると同時に汚染物質がキャリア２３０４に到達するのを防止するた
めに（図３６も参照）、ツイストラッチ２３０２およびブラインドボア２３０６と相補的
に形成される。ツイストラッチ２３０２は、有利にはフレーム２１０６と同一平面上に配
置され、従来のねじ回し、チャックキー、カスタムツールなどのツールから回転トルクを
受けるように形成された駆動構成２３１０を含む（図３２参照）。盗難に対する抑止とし
て、鍵（図示せず）なしでポータブル電子デバイス１０２が滅菌可能なエンクロージャ２
１００から取り外されるのを防止するためにロック装置（図示せず）を含めることができ
る。ピン２３１２は、ツイストラッチ２３０２と同時に回転するようにキャリア２３０４
に動作可能に取り付けられる。
【００７７】
この実施形態では、滅菌可能なエンクロージャ２１００の第２のロック要素２１４４は
それぞれ、１つまたは複数の螺旋スロット２３１６が画定されたキャッチ部材２３１４を
含む（図３０参照）。ここで、各キャッチ部材２３１４は、ファスナ２１３４を介してベ
ース２１１０に動作可能に取り付けられ、以下でより詳細に説明するように、ベース２２
１０に形成されたそれぞれのコーナーポケット２３１８にそれぞれ収容される（図２８お
よび図３０参照）。キャッチ部材２３１４に形成された螺旋状スロット２３１６は、第１
のロック要素２１４２のそれぞれのピン２３１２を受け入れるように形成される。
【００７８】
ポータブル電子デバイス１０２がトレイ２１７０を規定するバイアス要素２１６４内に
配置され、ベース２１１０に取り付けられると、フレーム２１０６はベース２１１０およ
びポータブル電子デバイス１０２の上に置かれる。ここで、ピン２３１２のそれぞれは、
それぞれの螺旋スロット２３１６の１つに進入するように配置される。それぞれの駆動構
成２３１０に係合するねじ回しを介するようなツイストラッチ２３０２のそれぞれのその
後の回転は、それぞれのキャリア２３０４およびピン２３１２を回転させる。ここで、ピ
ン２３１２は螺旋スロット２３１６内に配置されているので、キャリア２３０４の回転に
よりピン２３１２が螺旋スロット２３１６を横切り、それによりフレーム２１０６がベー
ス２１１０の方に移動し、タッチスクリーンインターフェース１０４と透明パネル１１４
との間の容量結合がもたらされ、ベース２１１０とフレーム２１０６との間のシール２１
１６と係合する。滅菌可能なエンクロージャ２１００は、コーナーロック装置２３００の
４つのロック機構２１１２の協働を介して閉位置２１００Ａにロックされる。さらに、こ
の実施形態におけるロック機構２１１２の構成のために、シール２１１６の圧縮は、滅菌
可能なエンクロージャ２１００を閉位置２１００Ａにロックされた状態に維持するのに役
立ち、圧縮されたシール２１１６からの反作用力がピン２３１２に伝達されて、キャリア
２３０４およびツイストラッチ２３０２が自由に回転することを防止する。コーナーロッ
ク装置２３００の他の実施形態も考えられる。非限定的な例として、図３９および図４０
に示す滅菌可能なエンクロージャ２１００の実施形態は、図１〜図２０Ｃに示す滅菌可能
なエンクロージャ１００の実施形態に関連して上記により詳細に説明したロック機構１１
２と実質的に同様の４つのロック機構を使用する。さらに、当業者であれば、本明細書に
記載され、図面全体にわたって描かれている様々なロック機構１１２、２１１２が特定の
用途のために交換可能であることを理解するであろう。
【００７９】
ここで図３４を参照すると、この実施形態では、フレーム２１０６はフレーム周縁２３
２０を画定し、ベース２１１０はベース周縁２３２２を画定し、シール２１１６はシール
周縁２３２４を画定する。図３４に最もよく示されるように、この実施形態では、滅菌可
能なエンクロージャ２１００が閉位置２１００Ａにあるとき、シール周縁２３２４は、フ
レーム周縁２３２０およびベース周縁２３２２に隣接して配置される。より具体的には、
フレーム周縁２３２０、ベース周縁２３２２、およびシール周縁２３２４は、滅菌可能な
エンクロージャ２１００が閉位置２１００Ａにあるときに一致する。以下の説明から理解
されるように、この構成は、使用中に汚染物質が表面、縁部、構成要素などの間に閉じ込
められるのを防止するのに役立ち、それにより、固定されたポータブル電子デバイス１０
２の取り外しを必要とせずに滅菌可能なエンクロージャ２１００の外面２１５６を効果的
に汚染除去することを可能にする（図３６参照）。これは、滅菌可能なエンクロージャ２
１００を必ずしもより徹底した除染手順の対象とすることなく、一日を通して異なる患者
を訪れる医療従事者が滅菌可能なエンクロージャ１０２を病院で使用する場合のような特
定の用途には有利である。ここで、医療従事者は、例えば消毒ワイプを使用して滅菌可能
なエンクロージャ２１００の外面２１５６、特にシール周縁２３２４、フレーム周縁２３
２０およびベース周縁２３２２を素早く洗浄することによって、患者の訪問の間に滅菌可
能なエンクロージャ２１００を洗浄することができる。シール周縁２３２４は、特定の用
途のために、フレーム周縁２３２０およびベース周縁２３２２を超えて延びることができ
ることは理解されるであろう。シール周縁２３２４は、ベース周縁２３２２およびフレー
ム周縁２３２０と位置合わせされているので、微生物は、滅菌可能なエンクロージャ２１
００の最外面領域に閉じ込められ、したがって、滅菌可能なエンクロージャ２１００の外
面を手動で拭くことによって、特定の用途に対して効果的に除染することができる。
【００８０】
図３０、図３１、図３４および図３６を続けて参照すると、一実施形態では、滅菌可能
なエンクロージャ２１００は、フレーム２１０６に動作可能に取り付けられた係合要素２
２３２をさらに含み、係合要素２２３２は、滅菌可能なエンクロージャ２１００が閉位置
２１００Ａにあるときにシール２１１６と係合するように形成される。ここで、係合要素
２２３２は、シール周縁２３２４に隣接して配置された係合周縁２３２６を含む。図３４
に最もよく示されるように、この実施形態では、係合要素２２３２がフレーム２１０６と
一体的に形成されるので、係合周縁２３２６は、フレームの周縁２３２０の一部を形成す
る。図２８〜図３６に示す代表的な実施形態では、係合要素２２３２は、概して台形の断
面輪郭を有し、上述のように閉位置２１００Ａでシール２１１６との係合をもたらすよう
にシール２１１６と相補的に形成される。
【００８１】
図３４を再び参照すると、一実施形態では、シール２２１６の少なくとも一部を収容す
るために、ベース周縁２３２２から内側に間隔を空けてベース２１１０にチャネル２２３
０が画定される。シール２１１６は、ベース２１１０に形成されたチャネル２２３０に受
け入れられるように形成されたチャネル部分２３２８と、チャネル部分２３２８からシー
ル周縁２３２４まで延びる係合部分２３３０とを含む。ここで、シール２１１６の係合部
分２３３０の少なくとも一部分は、滅菌可能なエンクロージャ２１００が閉位置２１００
Ａにあるときにフレーム２１０６と係合するように形成される。シール２１１６のチャネ
ル部分２３２８およびベース２１１０のチャネル２２３０は、それぞれ、本明細書に示す
代表的な実施形態では概ね台形の輪郭を有する。この構成は、シール２１１６をベース２
１１０に保持するのを助ける。しかしながら、シール２１１６および／またはチャネル２
２３０の他の構成も考えられる。
【００８２】
ここで図３０、図３１および図３６を参照すると、一実施形態では、シール２１１６は
、ポータブル電子デバイス１０２を収容するように形成された第１のシール領域２３３２
と、ロック機構２１１２を収容し、ロック機構２１１２を第１のシール領域２３３２から
仕切るように形成された第２のシール領域２３３４とを画定する。より具体的には、この
実施形態では、シール２１１６は、別個の第２のシール領域２３３４（図３０参照）をそ
れぞれ規定する４つの一体形成シール脚要素２３３６を含む。第２のシール領域２３３４
は、それぞれ、４つのロック機構２１１２のうちの１つを第１のシール領域２３３２から
仕切るように形成されている。ここで、第２のシール領域２３３４のそれぞれは、ほぼ三
角形の形状を有し、キャッチ部材２３１４が支持されるコーナーポケット２３１８を取り
囲む（図３０参照）。この実施形態でも、フレーム２１０６の係合要素２２３２は、シー
ル脚要素２３３６を含むシール２１１６全体に係合するように、第１のシール領域２３３
２を第２のシール領域２３３４から隔離するかあるいは仕切るように形成される（図３１
参照）。図３５および図３６に示すように、シール脚要素２３３６を含むシール２１１６
全体は、共通の形状の断面輪郭を有する。しかしながら、第１および第２のシール領域２
３３２、２３３４については、他の構成、形状、輪郭なども考えられることが理解される
であろう。
【００８３】
第１のシール領域２３３２を第２のシール領域２３３４から仕切ることは、汚染物が固
定されたポータブル電子デバイス１０２と接触しないようにする一方、同時に、滅菌可能
なエンクロージャ２１００を開かずに外面２１５６を効果的に汚染除去することを可能に
するのを保証するのに役立つ。さらに、シーリングワッシャ２３０８は、汚染物がコーナ
ーポケット２３１８に近づくのを防止するのに役立つが、シール領域２３３２、２３３４
の間に提供される仕切りは、汚染物が第１のシール領域２３３２に入らないことを確実に
する。滅菌可能なエンクロージャがコーナーポケット２３１８内に取り付けられた内部ヒ
ンジ、リビングヒンジなどを使用する場合（図示せず）のような他の実施形態に、上記の
シール２１１６によって提供される仕切りを実装し得ることが理解されるであろう。さら
に、図２８〜図３６に示す滅菌可能なエンクロージャ２１００の代表的な実施形態は、単
一のシール２１１６を使用するが、当業者であれば、上述したようなシール周縁２３２４
、フレーム周縁２３２０、およびベース周縁２３２２を迅速に洗浄するための消毒ワイプ
の使用を許容するように構成された外部シール、第１のシール領域２３３２を画定し、外
部シールとは別個の構成要素として形成された内部シール、および外部シールと内部シー
ルとの間に配置された内部ヒンジおよび／またはロック機構（図示せず）を有するような
２つ以上のシールを実装することができることを理解するであろう。
【００８４】
このようにして、本明細書に記載の滅菌可能なエンクロージャ１００、２１００の実施
形態は、固定されたポータブル電子デバイス１０２への汚染物の侵入とそこからの汚染物
の退出を防止し、それにより、洗浄、消毒、エンクロージャ１００、２１００の外側の汚
染物の数を少なく保つことを容易にすることに寄与し、それにより、産業界におけるポー
タブル電子デバイス１０２の堅牢な利用の機会が増える。滅菌可能なエンクロージャ１０
０、２１００は、看護師、医師、救急医療技術者などの医療専門家が、複雑な、高価な、
あるいは見慣れないデバイスまたは技術の使用を必要とせずに、商業的に入手可能な使い
慣れたポータブル電子デバイス１０２を滅菌環境で利用することを可能にする。さらに、
滅菌可能なエンクロージャ２１００は、再使用可能であり、実用的であり、滅菌を確実に
するために医療業界で一般的に利用される従来の医療洗浄、除染、および消毒装置、化学
薬品、および手順と互換性がある。したがって、滅菌可能なエンクロージャ１００、２１
００は、病原体、血液、組織、および微生物などの汚染物が、それぞれの滅菌可能なエン
クロージャ１００、２１００の閉位置１００Ａ、２１００Ａでロックされた固定されたポ
ータブル電子デバイス１０２に流れることが防止されるという点で、固定されたポータブ
ル電子デバイス１０２のための無菌環境を維持する。同様に、滅菌可能なエンクロージャ
１００、２１００は、固定されたポータブル電子デバイス１０２から汚染物が離れること
ができないようにし、それによって、滅菌可能なエンクロージャ１００、２１００が閉位
置１００Ａ、２１００Ａにロックされた後に既存の汚染除去および消毒処置を実行するこ
とを可能にし、除染が必要とされる環境において、汚染されたあるいは非滅菌のポータブ
ル電子デバイス１０２の無菌使用を容易にする。
【００８５】
滅菌可能なエンクロージャ１００、２１００は、手術中の滅菌野、死体研究室、製薬お
よび惑星探査機の製造を含むクリーンルーム、衛星製造、除染領域、滅菌在庫領域、患者
室、病院のチェックイン領域、待合室、ナースステーション、微生物研究室、救急医療技
術者（ＥＭＴ）によるフィールド使用、または滅菌可能なエンクロージャ１００、２１０
０が有利であり得る任意の他の領域で使用され得る。ポータブル電子デバイス１０２は、
様々な作業環境において大きな支援を提供することができ、滅菌可能なエンクロージャ１
００、２１００は、ユーザがこれらの環境においてポータブル電子デバイス１０２を操作
することを可能にする。
【００８６】
用語「含む（ｉｎｃｌｕｄｅ）」、「含む（ｉｎｃｌｕｄｅｓ）」および「含む（ｉｎ
ｃｌｕｄｉｎｇ）」は、用語「含む（ｃｏｍｐｒｉｓｅ）」、「含む（ｃｏｍｐｒｉｓｅ
ｓ）」および「含む（ｃｏｍｐｒｉｓｉｎｇ）」と同じ意味を有することがさらに理解さ
れるであろう。
【００８７】
いくつかの実施形態は、上記の説明において論じられている。しかしながら、本明細書
で論じられた実施形態は網羅的であることを意図するものではなく、または本発明を特定
の形態に限定することを意図するものではない。使用された用語は、限定ではなく説明の
語の性質を意図している。上記教示に照らして多くの修正および変形が可能であり、本発
明は具体的に記載されたものとは別の方法で実施することができる。
【００８８】
本開示の実施形態は、以下の番号の付いた項を参照して説明することができ、従属項に
特定の特徴が示されている。
【００８９】
Ｉ．タッチスクリーンインターフェースを有するポータブル電子デバイスを固定するのに
使用され、前記固定されたポータブル電子デバイスへの汚染物の侵入および前記固定され
たポータブル電子デバイスからの汚染物の退出を防止するための滅菌可能なエンクロージ
ャであって、
フレーム周縁を含むフレームであって、前記フレームが透明パネルを有する窓を画定し
、前記透明パネルが前記窓に隣接して前記フレームに動作可能に取り付けられ、前記ポー
タブル電子デバイスの前記タッチスクリーンインターフェースに当接するように配置され
た、フレームと、
前記フレームに連結され、ベース周縁を含むベースであって、前記ベースおよび前記フ
レームは協働して前記ポータブル電子デバイスが前記ベースと前記フレームとの間で固定
される前記滅菌可能なエンクロージャの閉位置を画定する、ベースと、
シール周縁を含むシールであって、前記固定されたポータブル電子デバイスへの汚染物
の侵入および前記固定されたポータブル電子デバイスからの汚染物の退出を防止するため
に、前記シールが、前記ベースおよび前記フレームの少なくとも一方に動作可能に取り付
けられ、前記滅菌可能なエンクロージャが前記閉位置にあるときに前記ベースと前記フレ
ームとの間に係合するように配置され、前記シール周縁が前記フレーム周縁および前記ベ
ース周縁に隣接して配置される、シールと、
を含む滅菌可能なエンクロージャ。
ＩＩ．前記ベースおよび前記フレームの他方に動作可能に取り付けられ、前記滅菌可能な
エンクロージャが前記閉位置にあるときに前記シールと係合するように形成された係合要
素をさらに含む、
項Ｉに記載の滅菌可能なエンクロージャ。
ＩＩＩ．前記係合要素は、前記シール周縁に隣接して配置された係合周縁を含む、
項ＩＩに記載の滅菌可能なエンクロージャ。
ＩＶ．チャネルが前記ベース周縁から内側に間隔を空けて前記ベースに画定され、前記シ
ールの少なくとも一部分を収容する、
項ＩからＩＩＩのいずれか１項に記載の滅菌可能なエンクロージャ。
Ｖ．前記シールは、前記チャネルに受け入れられるように形成されたチャネル部分と、前
記チャネル部分から前記シール周縁まで延びる係合部分とを含み、前記係合部分が前記閉
位置で前記フレームに係合するように形成される、
項ＩＶに記載の滅菌可能なエンクロージャ。
ＶＩ．前記チャネル部分および前記チャネルはそれぞれ、概して台形の輪郭を有する、
項Ｖに記載の滅菌可能なエンクロージャ。
ＶＩＩ．前記シールは、単一の一体構成要素である、
項ＩからＶＩのいずれか１項に記載の滅菌可能なエンクロージャ。
ＶＩＩＩ．前記シールが、摂氏１３０度を超える融点を有する材料を含む、
項ＩからＶＩＩのいずれか１項に記載の滅菌可能なエンクロージャ。
ＩＸ．前記滅菌可能なエンクロージャを前記閉位置に選択的にロックするためのロック機
構をさらに備え、前記ロック機構は、前記ベースおよび前記フレームの一方に回転可能に
結合された第１のロック要素と、前記ベースおよび前記フレームの他方に動作可能に取り
付けられ、前記第１のロック要素と係合して前記滅菌可能なエンクロージャを前記閉位置
にロックするように配置された第２のロック要素と、を含む、
項ＩからＶＩＩＩのいずれか１項に記載の滅菌可能なエンクロージャ。
Ｘ．前記シールは、前記ポータブル電子デバイスを収容するように形成された第１のシー
ル領域と、前記ロック機構を収容し、前記ロック機構を前記第１のシール領域から仕切る
ように形成された第２のシール領域とを画定する、
項ＩＸに記載の滅菌可能なエンクロージャ。
ＸＩ．４つの別個のロック機構をさらに含み、
前記シールは、前記ロック機構の１つを収容するようにそれぞれ形成された４つの別個
の第２のシール領域を画定する、
項Ｘに記載の滅菌可能なエンクロージャ。
ＸＩＩ．前記透明パネルが、アルミノシリケート材料を含む、
項ＩからＸＩのいずれか１項に記載の滅菌可能なエンクロージャ。
ＸＩＩＩ．前記滅菌可能なエンクロージャが前記閉位置にあるときに、前記フレーム周縁
、前記ベース周縁および前記シール周縁は一致する、
項ＩからＸＩＩのいずれか１項に記載の滅菌可能なエンクロージャ。
ＸＩＶ．前記ベースに動作可能に取り付けられ、前記ポータブル電子デバイスの前記タッ
チスクリーンインターフェースを前記ガラスパネルに当接させるよう付勢し、前記滅菌可
能なエンクロージャが前記閉位置にあるときに前記ガラスパネルと前記固定されたポータ
ブル電子デバイスの前記タッチスクリーンインターフェースとの間の容量結合を可能にす
るバイアス機構をさらに含む、
項ＩからＸＩＩＩのいずれか１項に記載の滅菌可能なエンクロージャ。
【００９０】
ＸＶ．タッチスクリーンインターフェースを有するポータブル電子デバイスを固定するの
に使用され、前記固定されたポータブル電子デバイスへの汚染物の侵入および前記固定さ
れたポータブル電子デバイスからの汚染物の退出を防止するための滅菌可能なエンクロー
ジャであって、
窓を画定するフレームと、
前記フレームに連結されるベースであって、前記ベースおよび前記フレームは協働して
前記ポータブル電子デバイスが前記ベースと前記フレームとの間で固定される前記滅菌可
能なエンクロージャの閉位置を画定する、ベースと、
前記滅菌可能なエンクロージャを前記閉位置に選択的にロックするためのロック機構と
、
前記窓に隣接して前記フレームに動作可能に取り付けられ、前記滅菌可能なエンクロー
ジャが前記閉位置にロックされたときに前記ポータブル電子デバイスの前記タッチスクリ
ーンインターフェースに当接するように配置されたガラスパネルと、
前記固定されたポータブル電子デバイスへの汚染物の侵入および前記固定されたポータ
ブル電子デバイスからの汚染物の退出を防止するために、前記滅菌可能なエンクロージャ
が前記閉位置にロックされたときに前記ベースおよび前記フレームの少なくとも一方に動
作可能に取り付けられ、前記ベースと前記フレームとの間に係合するように配置されたシ
ールと、
前記ベースに動作可能に取り付けられ、前記ポータブル電子デバイスの前記タッチスク
リーンインターフェースを前記ガラスパネルに当接させるよう付勢し、前記滅菌可能なエ
ンクロージャが前記閉位置にあるときに前記ガラスパネルと前記固定されたポータブル電
子デバイスの前記タッチスクリーンインターフェースとの間の容量結合を可能にするバイ
アス機構と、
を含む滅菌可能なエンクロージャ。
【００９１】
ＸＶＩ．タッチスクリーンインターフェースを有するポータブル電子デバイスを固定する
のに使用され、前記固定されたポータブル電子デバイスへの汚染物の侵入および前記固定
されたポータブル電子デバイスからの汚染物の退出を防止するための滅菌可能なエンクロ
ージャであって、
窓を画定するフレームと、
前記フレームに連結されるベースであって、前記ベースおよび前記フレームは協働して
前記ポータブル電子デバイスが前記ベースと前記フレームとの間で固定される前記滅菌可
能なエンクロージャの閉位置を画定する、ベースと、
前記滅菌可能なエンクロージャを前記閉位置に選択的にロックするためのロック機構で
あって、前記ロック機構が前記ベースおよび前記フレームの一方に回転可能に連結された
ロック要素を含む、ロック機構と、
前記窓に隣接して前記フレームに動作可能に取り付けられ、前記滅菌可能なエンクロー
ジャが前記閉位置にロックされたときに前記ポータブル電子デバイスの前記タッチスクリ
ーンインターフェースに当接するように配置されたガラスパネルと、
前記ベースおよび前記フレームの少なくとも一方に動作可能に取り付けられたシールと
、
を含み、
前記ロック機構の前記ロック要素の第１の位置から第２の位置への回転は、前記ベース
と前記フレームとを互いに向かって付勢して、前記ガラスパネルと前記固定されたポータ
ブル電子デバイスの前記タッチスクリーンインターフェースとの間の容量結合を可能にし
、前記固定されたポータブル電子デバイスへの汚染物の侵入および前記固定されたポータ
ブル電子デバイスからの汚染物の退出を防止するために前記シールと係合する、
滅菌可能なエンクロージャ。
ＸＶＩＩ．前記ガラスパネルは、前記滅菌可能なエンクロージャが前記閉位置にロックさ
れているときに、前記ガラスパネルの外部触覚係合が、前記固定されたポータブル電子デ
バイスの前記タッチスクリーンインターフェースの静電界に変換されるように配置される
、
項ＸＶＩに記載の滅菌可能なエンクロージャ。
ＸＶＩＩＩ．前記ロック機構は第２のロック要素をさらに含み、前記ロック要素は協働し
て前記滅菌可能なエンクロージャを前記閉位置に選択的にロックする、
項ＸＶＩからＸＶＩＩのいずれか１項に記載の滅菌可能なエンクロージャ。
ＸＩＸ．前記ベースおよび前記フレームの一方に回転可能に連結されている前記ロック要
素を含む前記ロック機構は、前記ロック要素が前記第２の位置にあるときに前記ロック要
素と係合するように配置された前記ベースおよび前記フレームの他方に動作可能に取り付
けられたキャッチをさらに含む、
項ＸＶＩからＸＶＩＩＩのいずれか１項に記載の滅菌可能なエンクロージャ。
ＸＸ．前記ロック要素の前記第１の位置から前記第２の位置への回転は、前記ロック機構
を、前記ベースおよび前記フレームが前記滅菌可能なエンクロージャの前記閉位置から開
位置に移動することができるように前記ロック要素が前記キャッチから解除されるロック
解除構成と、前記ベースおよび前記フレームが前記滅菌可能なエンクロージャの前記閉位
置に維持されるように前記ロック要素が前記キャッチに係合するロック構成と、の間で移
動させる、
項ＸＩＸに記載の滅菌可能なエンクロージャ。
ＸＸＩ．前記ロック要素は、前記ロック要素の前記第２の位置への回転が前記フレームを
前記ベースに向けて付勢するように配置されたカムを含む、
項ＸＸに記載の滅菌可能なエンクロージャ。
ＸＸＩＩ．前記ロック機構はオートクレーブ構成を有し、前記ロック要素の第３の位置へ
の回転は、前記ベースと前記フレームとが互いに当接するのを防止する、
項ＸＶＩからＸＸＩのいずれか１項に記載の滅菌可能なエンクロージャ。
ＸＸＩＩＩ．前記ベースは前記フレームに旋回可能に連結される、
項ＸＶＩからＸＸＩＩのいずれか１項に記載の滅菌可能なエンクロージャ。
【００９２】
ＸＸＩＶ．タッチスクリーンインターフェースを有するポータブル電子デバイスを固定す
るのに使用され、前記固定されたポータブル電子デバイスへの汚染物の侵入および前記固
定されたポータブル電子デバイスからの汚染物の退出を防止するための滅菌可能なエンク
ロージャであって、
透明パネルを有する窓を画定するフレームであって、前記透明パネルが前記窓に隣接し
て前記フレームに動作可能に取り付けられ、前記ポータブル電子デバイスの前記タッチス
クリーンインターフェースに当接するように配置された、フレームと、
前記フレームに連結されるベースであって、前記ベースおよび前記フレームは協働して
前記ポータブル電子デバイスが前記ベースと前記フレームとの間で固定される前記滅菌可
能なエンクロージャの閉位置を画定する、ベースと、
前記固定されたポータブル電子デバイスへの汚染物の侵入および前記固定されたポータ
ブル電子デバイスからの汚染物の退出を防止するために、前記滅菌可能なエンクロージャ
が前記閉位置にあるときに前記ベースおよび前記フレームの一方に動作可能に取り付けら
れ、前記ベースと前記フレームとの間に係合するように配置されたシールと、
前記ベースおよび前記フレームの他方に動作可能に取り付けられ、前記滅菌可能なエン
クロージャが前記閉位置にあるときに前記シールと係合するように形成された係合要素で
あって、前記シールおよび前記係合要素はそれぞれ、前記ベースおよび前記フレームの第
１の部分を含むタッチゾーンと、前記ベースおよび前記フレームの第２の部分を含むノー
タッチゾーンと、の間の境界を画定する、係合要素と、
前記タッチゾーンの前記第１の部分と前記ノータッチゾーンの前記第２の部分とを区別
して前記滅菌可能なエンクロージャの前記ベースおよび前記フレームの前記第１の部分内
の接触のみを促進するように構成された表示とを含む、
滅菌可能なエンクロージャ。
ＸＸＶ．前記表示は、前記タッチゾーンを画定する前記ベースおよび前記フレームの前記
第１の部分の少なくとも一方に配置される、
項ＸＸＩＶに記載の滅菌可能なエンクロージャ。
ＸＸＶＩ．前記表示は、前記ノータッチゾーンを画定する前記ベースおよび前記フレーム
の前記第２の部分の少なくとも一方に配置される、
項ＸＸＩＶからＸＸＶのいずれか１項に記載の滅菌可能なエンクロージャ。
ＸＸＶＩＩ．第２の表示が、前記タッチゾーンを画定する前記ベースおよび前記フレーム
の前記第１の部分の少なくとも一方に配置される、
項ＸＸＶＩに記載の滅菌可能なエンクロージャ。
ＸＸＶＩＩＩ．前記ノータッチゾーンを画定する前記ベースおよび前記フレームの前記第
２の部分に配置された前記表示が第１の色であり、前記タッチゾーンを画定する前記ベー
スおよび前記フレームの前記第１の部分に配置された前記第２の表示が第２の色である、
項ＸＸＶＩＩに記載の滅菌可能なエンクロージャ。
ＸＸＩＸ．前記表示はテキストを含む、
項ＸＸＩＶからＸＸＶＩＩＩのいずれか１項に記載の滅菌可能なエンクロージャ。
ＸＸＸ．前記タッチゾーンは、前記フレームのフレームタッチ表面領域と、前記ベースの
ベースタッチ表面領域とを含む、
項ＸＸＩＶからＸＸＩＸのいずれか１項に記載の滅菌可能なエンクロージャ。
ＸＸＸＩ．前記ノータッチゾーンは、前記フレームタッチ表面領域とは別個の前記フレー
ムのフレームノータッチ表面領域と、前記ベースタッチ表面領域とは別個の前記ベースの
ベースノータッチ表面領域とを含む、
項ＸＸＸに記載の滅菌可能なエンクロージャ。
ＸＸＸＩＩ．前記シールの内周は、前記タッチゾーンと前記ノータッチゾーンとの間の前
記境界を画定する、
項ＸＸＩＶからＸＸＸＩのいずれか１項に記載の滅菌可能なエンクロージャ。
【００９３】
ＸＸＸＩＩＩ．滅菌環境で使用するためのタッチスクリーンインターフェースを有するポ
ータブル電子デバイスを固定する方法であって、
透明パネルを有する窓を画定するフレームであって、前記透明パネルが前記窓に隣接し
て前記フレームに動作可能に取り付けられ、前記ポータブル電子デバイスの前記タッチス
クリーンインターフェースに当接するように配置された、フレームと、前記フレームに枢
動可能に取り付けられたベースと、前記固定されたポータブル電子デバイスへの汚染物の
侵入および前記固定されたポータブル電子デバイスからの汚染物の退出を防止するために
、滅菌可能なエンクロージャが閉位置にあるときに前記ベースと前記フレームとの間に係
合されるように配置されたシールと、を含む滅菌可能なエンクロージャを配置するステッ
プと、
前記フレームを前記ベースから旋回させて離して前記滅菌可能なエンクロージャを開位
置に保持しながら、前記滅菌可能なエンクロージャの少なくとも一部を汚染物から遮蔽す
るように構成された移送装置を配置するステップと、
前記移送装置を用いて前記滅菌可能なエンクロージャを前記開位置に保持するステップ
と、
前記開位置にある間に前記ポータブル電子デバイスを前記滅菌可能なエンクロージャに
挿入するステップと、
前記移送装置を前記滅菌可能なエンクロージャから引き離して、前記フレームが前記ベ
ースへ向けて前記閉位置へ移動することができるようにするステップと、
を含む方法。
【図１】
2020194591.tif 000003
【図２】
2020194591.tif 000004
【図３】
2020194591.tif 000005
【図４】
2020194591.tif 000006
【図５】
2020194591.tif 000007
【図６】
2020194591.tif 000008
【図７】
2020194591.tif 000009
【図８】
2020194591.tif 000010
【図９】
2020194591.tif 000011
【図１０】
2020194591.tif 000012
【図１１】
2020194591.tif 000013
【図１２】
2020194591.tif 000014
【図１３】
2020194591.tif 000015
【図１４Ａ】
2020194591.tif 000016
【図１４Ｂ】
2020194591.tif 000017
【図１４Ｃ】
2020194591.tif 000018
【図１５】
2020194591.tif 000019
【図１６】
2020194591.tif 000020
【図１７Ａ】
2020194591.tif 000021
【図１７Ｂ】
2020194591.tif 000022
【図１８Ａ】
2020194591.tif 000023
【図１８Ｂ】
2020194591.tif 000024
【図１８Ｃ】
2020194591.tif 000025
【図１８Ｄ】
2020194591.tif 000026
【図１８Ｅ】
2020194591.tif 000027
【図１９】
2020194591.tif 000028
【図２０Ａ】
2020194591.tif 000029
【図２０Ｂ】
2020194591.tif 000030
【図２０Ｃ】
2020194591.tif 000031
【図２１】
2020194591.tif 000032
【図２２】
2020194591.tif 000033
【図２３】
2020194591.tif 000034
【図２４】
2020194591.tif 000035
【図２５】
2020194591.tif 000036
【図２６】
2020194591.tif 000037
【図２７】
2020194591.tif 000038
【図２８】
2020194591.tif 000039
【図２９】
2020194591.tif 000040
【図３０】
2020194591.tif 000041
【図３１】
2020194591.tif 000042
【図３２】
2020194591.tif 000043
【図３３】
2020194591.tif 000044
【図３４】
2020194591.tif 000045
【図３５】
2020194591.tif 000046
【図３６】
2020194591.tif 000047
【図３７】
2020194591.tif 000048
【図３８】
2020194591.tif 000049
【図３９】
2020194591.tif 000050
【図４０】
2020194591.tif 000051
【図４１】
2020194591.tif 000052
【図４２】
2020194591.tif 000053
【図４３】
2020194591.tif 000054
【図４４Ａ】
2020194591.tif 000055
【図４４Ｂ】
2020194591.tif 000056
【図４４Ｃ】
2020194591.tif 000057
【図４５Ａ】
2020194591.tif 000058
【図４５Ｂ】
2020194591.tif 000059
【図４５Ｃ】
2020194591.tif 000060
【図４６】
2020194591.tif 000061
【図４７】
2020194591.tif 000062
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
滅菌環境で使用するためのタッチスクリーンインターフェースを有するポータブル電子デバイスを固定する方法であって、該方法は、
滅菌可能なエンクロージャを配置するステップであって、
透明パネルを有する窓を画定するフレームであって、透明パネルが窓に隣接してフレームに取り付けられ、ポータブル電子デバイスのタッチスクリーンインターフェースに当接するように配置されたフレームと、
開位置と閉位置の間でフレームに対して選択的に移動可能なベースと、
前記固定されたポータブル電子デバイスへの汚染物の侵入および固定されたポータブル電子デバイスからの汚染物の退出を防止するために、前記滅菌可能なエンクロージャが閉位置にあるときにベースとフレームとの間に係合されるシールと、を含む前記滅菌可能なエンクロージャを配置するステップと、
移送装置を配置するステップであって、該移送装置は、一対のアウタメンバと、該アウタメンバの間に延在して接続する上壁と、該アウタメンバの間に延在して接続し、該上壁と間隔を空けて通路を画定する下壁と、を含み、該壁は、前記滅菌可能なエンクロージャを開位置に保持しながら、前記滅菌可能なエンクロージャの少なくとも一部を汚染物から遮蔽するように構成される、移送装置を配置するステップと、
前記移送装置を用いて前記滅菌可能なエンクロージャを開位置に保持するステップと、
前記移送装置が開位置に保持される間に前記ポータブル電子デバイスを、前記通路を介して前記滅菌可能なエンクロージャに挿入するステップと、
前記滅菌可能なエンクロージャを保持し続けながら、前記移送装置および滅菌可能なエンクロージャの一方を他方から引き離して、前記フレームがベースに向けて閉位置へ移動することができるようにするステップと、を含む、
ポータブル電子デバイスを固定する方法。
【請求項２】
ハンドルを前記移送装置に配置するステップをさらに含む、請求項１に記載の方法。
【請求項３】
前記ハンドルは、前記上壁および前記下壁の一方に設けられる、請求項２に記載の方法。
【請求項４】
前記ハンドルを把持するステップ、および前記移送装置を前記滅菌可能なエンクロージャから引き離すステップをさらに含む、請求項２に記載の方法。
【請求項５】
前記閉位置と前記開位置との間の移動のために前記ベースは前記フレームに枢動可能に取り付けられ、重力によって前記フレームが前記ベースに向かって移動し、前記移送装置が前記滅菌可能なエンクロージャから引き離されると、前記フレームは前記ベースおよび前記閉位置に向かって枢動する、請求項４に記載の方法。
【請求項６】
前記滅菌可能なエンクロージャのロック機構のラッチを受け入れるように前記移送装置の下壁に中空容器を配置するステップをさらに含む、請求項１に記載の方法。
【請求項７】
各アウタメンバに傾斜部を配置するステップをさらに含み、各傾斜部は、前記フレームの縁部を受け入れるように他方に向かって内向きに延在する、請求項１に記載の方法。
【請求項８】
３つのカバー要素を配置するステップをさらに含み、そのうちの２つは前記傾斜部の下方に間隔を置いて前記アウタメンバから互いに向かって延びており、そのうちの１つは前記ベースの縁部の上に配置するように下壁から延在する、請求項７に記載の方法。
【請求項９】
前記カバー要素は、前記ポータブル電子デバイスの受け入れを容易にするように下向きに傾斜している、請求項８に記載の方法。
【請求項１０】
前記フレームを前記ベースから９０度未満旋回させて離した状態で、前記滅菌可能なエンクロージャを部分的な開位置に保持するステップをさらに含む、請求項１に記載の方法。
【請求項１１】
前記ベースの一方の縁部を下壁の一部に配置し、前記フレームを前記上壁の一部および傾斜部の少なくとも一方に配置するステップをさらに含む、請求項１に記載の方法。
【請求項１２】
前記滅菌可能なエンクロージャは、前記ポータブル電子デバイスを前記滅菌可能なエンクロージャに挿入する非滅菌の人員との接触を遮蔽する外表面に滅菌ノータッチゾーンを有する、請求項１に記載の方法。
【請求項１３】
前記ポータブル電子デバイスが前記滅菌可能なエンクロージャに非滅菌のユーザによって装填される間、滅菌されたユーザは、前記滅菌可能なエンクロージャの滅菌ノータッチゾーンを係合し、前記滅菌可能なエンクロージャを前記転送装置に保持する、請求項１に記載の方法。
【請求項１４】
前記ポータブル電子デバイスが前記滅菌可能なエンクロージャに装填された後に、前記非滅菌のユーザが前記移送装置を前記滅菌可能なエンクロージャから遠ざけるにつれて、前記滅菌されたユーザは前記滅菌可能なエンクロージャを保持する、請求項１３に記載の方法。
【請求項１５】
前記閉位置と前記開位置との間の移動のために前記ベースは前記フレームに枢動可能に取り付けられる、請求項1に記載の方法。
【請求項１６】
前記アウタメンバは外壁である、請求項１に記載の方法。
【請求項１７】
前記アウタメンバは、滅菌されたユーザが、前記ベースおよび前記フレームを把持するときに、前記ベースおよび前記フレームの間に手を配置することを防ぐように形成される、請求項１６に記載の方法。
【外国語明細書】
2020194591000001.pdf